(57)【要約】提供するサービスの向上および通信する情報量の低減を図ることができる株価情報提供方法および携帯電話機、並びに携帯電話機搭載用プログラムおよび株価情報提供用サーバである。携帯電話を用いて株価情報を提供するにあたって、株価情報閲覧者に携帯電話機搭載用プログラムの実行環境を備えた携帯電話機（３０）を用意させ、この携帯電話機（３０）で、株価情報提供用サーバ（２０）から通信網（１）を介してプログラムを取得させた後、携帯電話機（３０）上でプログラムを実行させることにより、サーバ（２０）から通信網（１）を介して株価情報データを取得するとともに、このデータに基づき株価チャートを生成して表示部（３２）に画面表示するようにした。
2003017161.tif 000002
【特許請求の範囲】
【請求項１】
携帯電話を用いて株価情報を提供する株価情報提供方法であって、
携帯電話機搭載用プログラムの実行環境を備えた携帯電話機により、前記株価情報を提供する株価情報提供用サーバから通信網を介して前記携帯電話機搭載用プログラムを取得させ、前記携帯電話機に前記携帯電話機搭載用プログラムを搭載させた後、
前記携帯電話機上で前記携帯電話機搭載用プログラムを実行させることにより、前記株価情報提供用サーバから前記通信網を介して前記株価情報に関するデータを取得させるとともに、この取得させたデータに基づき株価チャートを生成させて前記携帯電話機の表示部に画面表示させる
ことを特徴とする株価情報提供方法。
【請求項２】
携帯電話機搭載用プログラムの実行環境を備えた携帯電話機であって、
株価情報を提供する株価情報提供用サーバから通信網を介して取得した前記携帯電話機搭載用プログラムを記憶する取得プログラム記憶手段と、
前記株価情報を含む各種情報を画面表示する表示部と、
前記携帯電話機搭載用プログラムを実行して前記株価情報提供用サーバから前記通信網を介して前記株価情報に関するデータを取得する株価情報データ取得手段と、
前記携帯電話機搭載用プログラムを実行して前記株価情報データ取得手段により取得した前記データに基づき株価チャートを生成して前記表示部に画面表示する株価チャート生成手段と
を備えたことを特徴とする携帯電話機。
【請求項３】
前記株価情報データ取得手段により取得される前記データは、イメージデータを含まないことを特徴とする請求の範囲第２項記載の携帯電話機。
【請求項４】
前記株価情報データ取得手段により取得される前記データには、始値、終値、高値および安値が含まれ、
前記株価チャート生成手段により生成される前記株価チャートには、前記始値、前記終値、前記高値および前記安値をまとめて表示するローソク足が含まれる  ことを特徴とする請求の範囲第３項記載の携帯電話機。
【請求項５】
前記株価情報データ取得手段により取得される前記データには、出来高および少なくとも一種類の移動平均が含まれ、
前記株価チャート生成手段により生成される前記株価チャートには、前記出来高を表示する棒グラフおよび前記移動平均を結んで形成される少なくとも一本の移動平均線が含まれる
ことを特徴とする請求の範囲第３項記載の携帯電話機。
【請求項６】
前記株価チャートには、複数本の前記移動平均線が含まれ、これらの複数本の前記移動平均線は、それぞれ異なる色で表示されることを特徴とする請求の範囲第５項記載の携帯電話機。
【請求項７】
前記株価情報データ取得手段は、前記株価情報の閲覧者の選択操作に基づき、日中を一定の時間間隔で区切って得られる連続する複数の時間区画のデータ、連続する複数の日のデータ、連続する複数の週のデータ、連続する複数の月のデータのうちのいずれか一種のデータを取得する構成とされ、
前記株価チャート生成手段は、前記連続する複数の時間区画のデータに基づき生成される日中足チャート上で各時間区画のデータの表示位置間を移動するか、前記連続する複数の日のデータに基づき生成される日足チャート上で各日のデータの表示位置間を移動するか、前記連続する複数の週のデータに基づき生成される週足チャート上で各週のデータの表示位置間を移動するか、または前記連続する複数の月のデータに基づき生成される月足チャート上で各月のデータの表示位置間を移動するスライドバーを生成して前記表示部に画面表示する構成とされている
ことを特徴とする請求の範囲第３項記載の携帯電話機。
【請求項８】
前記株価情報データ取得手段により取得される前記データには、始値、終値、高値および安値が含まれ、
前記株価チャート生成手段により生成される前記株価チャートには、前記始値、前記終値、前記高値および前記安値をまとめて表示するローソク足が含まれる  ことを特徴とする請求の範囲第７項記載の携帯電話機。
【請求項９】
前記株価情報データ取得手段により取得される前記データには、出来高および少なくとも一種類の移動平均が含まれ、
前記株価チャート生成手段により生成される前記株価チャートには、前記出来高を表示する棒グラフおよび前記移動平均を結んで形成される少なくとも一本の移動平均線が含まれる
ことを特徴とする請求の範囲第８項記載の携帯電話機。
【請求項１０】
前記表示部の画面サイズを認識する画面サイズ認識手段を備え、
前記株価チャート生成手段は、前記画面サイズ認識手段により認識した画面サイズ情報に基づき、前記表示部の画面サイズに応じて画面上に描く前記株価チャートまたはその構成要素の表示についての縦横比または縮尺を変化させる構成とされている
ことを特徴とする請求の範囲第２項記載の携帯電話機。
【請求項１１】
株価情報閲覧者が閲覧したい銘柄を登録する銘柄登録手段と、前記株価情報閲覧者により登録された銘柄を記憶する登録銘柄記憶手段と、前記株価情報データ取得手段により取得した前記データに基づき株価一覧画面を生成して前記表示部に画面表示する株価一覧画面生成手段とを備え、
前記株価一覧画面生成手段は、前記銘柄登録手段を用いて登録されて前記登録銘柄記憶手段に記憶された登録済みの各銘柄について、市場、銘柄コード、銘柄名、現在値、前日比、およびデータ時刻を含む表示を行う構成とされている
ことを特徴とする請求の範囲第３項記載の携帯電話機。
【請求項１２】
前記前日比を示す矢印は、上昇と下落とで異なる色の表示となることを特徴とする請求の範囲第１１項記載の携帯電話機。
【請求項１３】
前記株価情報データ取得手段により取得した前記データに基づき株価詳細画面を生成して前記表示部に画面表示する株価詳細画面生成手段を備え、
前記株価詳細画面生成手段は、前記株価一覧画面上で選択された銘柄について、市場、銘柄コード、銘柄名、データ日時、取引値、前日比、始値、高値、安値、および出来高を含む表示を行う構成とされている
ことを特徴とする請求の範囲第１１項記載の携帯電話機。
【請求項１４】
前記前日比の数値は、プラスとマイナスとゼロとでそれぞれ異なる色の表示となることを特徴とする請求の範囲第１３項記載の携帯電話機。
【請求項１５】
前記株価一覧画面および前記株価詳細画面で表示するデータを自動更新する時間間隔を設定するタイマー設定手段と、前記株価一覧画面および前記株価詳細画面で表示するデータをタイマーで自動更新する時間間隔を記憶するタイマー間隔記憶手段とを備え、
前記株価一覧画面生成手段および前記株価詳細画面生成手段は、前記タイマー設定手段を用いて設定されて前記タイマー間隔記憶手段に記憶された時間間隔で、前記株価情報データ取得手段により前記株価情報提供用サーバから取得した最新のデータに基づき前記株価詳細画面および前記株価一覧画面をそれぞれ生成する処理を繰り返す構成とされている
ことを特徴とする請求の範囲第１３項記載の携帯電話機。
【請求項１６】
前記株価一覧画面生成手段および前記株価詳細画面生成手段は、自動更新により数値が変化した箇所の色を反転させる構成とされていることを特徴とする請求の範囲第１５項記載の携帯電話機。
【請求項１７】
前記株価チャート生成手段は、前記株価情報データ取得手段により取得される連続する複数の日のデータに基づき日足チャートを生成する構成とされ、
前記株価詳細画面には、前記日足チャートが表示される日足チャート画面へ移行するためのボタンが設けられている
ことを特徴とする請求の範囲第１３項記載の携帯電話機。
【請求項１８】
前記株価チャート生成手段は、前記株価情報データ取得手段により取得される連続する複数の日のデータに基づき日足チャートを生成し、かつ、前記株価情報データ取得手段により取得される連続する複数の週のデータに基づき週足チャートを生成し、かつ、前記株価情報データ取得手段により取得される連続する複数の月のデータに基づき月足チャートを生成する構成とされ、
前記日足チャートが表示される日足チャート画面には、前記週足チャートが表示される週足チャート画面へ移行するためのボタンが設けられ、前記週足チャート画面には、前記月足チャートが表示される月足チャート画面へ移行するためのボタンが設けられ、前記月足チャート画面には、前記日足チャート画面へ移行するためのボタンが設けられ、これらのボタンを繰り返し操作することにより、前記日足チャート画面、前記週足チャート画面、および前記月足チャート画面の順に、これらの画面をループ表示可能な構成とされている
ことを特徴とする請求の範囲第３項記載の携帯電話機。
【請求項１９】
前記携帯電話機搭載用プログラムは、ＪＡＶＡプログラミング言語で記述されていることを特徴とする請求の範囲第２項記載の携帯電話機。
【請求項２０】
通信網を介して取得されて携帯電話機に搭載される携帯電話機搭載用プログラムであって、
株価情報を提供する株価情報提供用サーバから前記通信網を介して前記株価情報に関するデータを取得する株価情報データ取得手段と、この株価情報データ取得手段により取得した前記データに基づき株価チャートを生成して前記携帯電話機の表示部に画面表示する株価チャート生成手段として、携帯電話機を機能させるための携帯電話機搭載用プログラム。
【請求項２１】
前記株価情報データ取得手段により取得される前記データは、イメージデータを含まないことを特徴とする請求の範囲第２０項記載の携帯電話機搭載用プログラム。
【請求項２２】
前記株価情報データ取得手段により取得される前記データには、始値、終値、高値および安値が含まれ、
前記株価チャート生成手段により生成される前記株価チャートには、前記始値、前記終値、前記高値および前記安値をまとめて表示するローソク足が含まれる
ことを特徴とする請求の範囲第２１項記載の携帯電話機搭載用プログラム。
【請求項２３】
前記株価情報データ取得手段により取得される前記データには、出来高および少なくとも一種類の移動平均が含まれ、
前記株価チャート生成手段により生成される前記株価チャートには、前記出来高を表示する棒グラフおよび前記移動平均を結んで形成される少なくとも一本の移動平均線が含まれる
ことを特徴とする請求の範囲第２１項記載の携帯電話機搭載用プログラム。
【請求項２４】
前記株価情報データ取得手段は、前記株価情報の閲覧者の選択操作に基づき、日中を一定の時間間隔で区切って得られる連続する複数の時間区画のデータ、連続する複数の日のデータ、連続する複数の週のデータ、連続する複数の月のデータのうちのいずれか一種のデータを取得する構成とされ、
前記株価チャート生成手段は、前記連続する複数の時間区画のデータに基づき生成される日中足チャート上で各時間区画のデータの表示位置間を移動するか、前記連続する複数の日のデータに基づき生成される日足チャート上で各日のデータの表示位置間を移動するか、前記連続する複数の週のデータに基づき生成される週足チャート上で各週のデータの表示位置間を移動するか、または前記連続する複数の月のデータに基づき生成される月足チャート上で各月のデータの表示位置間を移動するスライドバーを生成して前記表示部に画面表示する構成とされている
ことを特徴とする請求の範囲第２１項記載の携帯電話機搭載用プログラム。
【請求項２５】
携帯電話を用いて株価情報を提供する株価情報提供用サーバであって、
携帯電話機に搭載させるための供給用の携帯電話機搭載用プログラムを記憶する供給用プログラム記憶手段に接続されるとともに、前記株価情報に関するデータを記憶する株価情報データ記憶手段に接続され、
前記株価情報の閲覧者からの要求に応じて通信網を介して前記携帯電話機に前記携帯電話機搭載用プログラムを送信するプログラム送信手段と、
前記株価情報の閲覧者からの要求に応じて前記通信網を介して前記携帯電話機に前記株価情報に関するデータを送信する株価情報データ送信手段とを備え、
前記携帯電話機搭載用プログラムは、前記携帯電話機上で実行されることにより、前記通信網を介して取得した前記株価情報に関するデータに基づき株価チャートを生成して前記携帯電話機の表示部に画面表示する処理を行う
ことを特徴とする株価情報提供用サーバ。
【請求項２６】
前記株価情報データ送信手段により送信する前記データは、イメージデータを含まないことを特徴とする請求の範囲第２５項記載の株価情報提供用サーバ。
【請求項２７】
前記株価情報データ送信手段により送信する前記データには、始値、終値、高値および安値が含まれ、
前記携帯電話機搭載用プログラムにより生成される前記株価チャートには、前記始値、前記終値、前記高値および前記安値をまとめて表示するローソク足が含まれる
ことを特徴とする請求の範囲第２６項記載の株価情報提供用サーバ。
【請求項２８】
前記株価情報データ送信手段により送信する前記データには、出来高および少なくとも一種類の移動平均が含まれ、
前記携帯電話機搭載用プログラムにより生成される前記株価チャートには、前記出来高を表示する棒グラフおよび前記移動平均を結んで形成される少なくとも一本の移動平均線が含まれる
ことを特徴とする請求の範囲第２６項記載の株価情報提供用サーバ。
【請求項２９】
前記株価情報データ送信手段は、前記株価情報の閲覧者の選択操作に基づき、日中を一定の時間間隔で区切って得られる連続する複数の時間区画のデータ、連続する複数の日のデータ、連続する複数の週のデータ、連続する複数の月のデータのうちのいずれか一種のデータを送信する構成とされ、
前記携帯電話機搭載用プログラムは、前記連続する複数の時間区画のデータに基づき生成される日中足チャート上で各時間区画のデータの表示位置間を移動するか、前記連続する複数の日のデータに基づき生成される日足チャート上で各日のデータの表示位置間を移動するか、前記連続する複数の週のデータに基づき生成される週足チャート上で各週のデータの表示位置間を移動するか、または前記連続する複数の月のデータに基づき生成される月足チャート上で各月のデータの表示位置間を移動するスライドバーを生成して前記表示部に画面表示する処理を行う
ことを特徴とする請求の範囲第２６項記載の株価情報提供用サーバ。
【発明の詳細な説明】
技術分野
本発明は、携帯電話を用いて株価情報を提供する株価情報提供方法および携帯電話機、並びに携帯電話機搭載用プログラムおよび株価情報提供用サーバに係り、例えば、通信網を介してＪＡＶＡプログラム（ＪＡＶＡは登録商標、以下同様）を携帯電話機に取得させて搭載させ、このＪＡＶＡプログラムを携帯電話機上で実行させて株価情報を提供する場合などに利用できる。
背景技術
近年、インターネット等のネットワーク基盤の整備が進み、その利用者が増大するのに伴い、ネットワークを用いて株価情報を提供するサービスが盛んに行われるようになってきた。また、携帯電話機の機能の向上に伴い、携帯電話を用いて株価情報を提供するサービスも行われるようになり、携帯電話の利用者は、携帯電話機でリアルタイムの株価情報を取得することが可能となっている。このような携帯電話を用いた株価情報の提供サービスを可能とする環境は、携帯電話会社が提供するネットワーク接続サービス、例えば、「ｉモード」（商標）等により実現されるものである。これらのネットワーク接続サービスは、いずれも携帯電話の本来的な機能である音声情報サービスに加え、文字情報サービス（文字情報のみならず、絵柄情報をも含めた視覚に訴える画像情報の提供サービス）を行うものである。
そして、通常、携帯電話機による株価情報の提供は、次のようにして行われている。すなわち、携帯電話会社の管理センターに専用線またはインターネットで接続された株価情報提供者の運用するサーバに、予め株価チャートを、完成された画像情報（例えば、ＧＩＦ等の画像形式のもの）として生成して用意しておき、携帯電話機からの要求に応じ、その完成された画像情報を、サーバから管理センターおよび通信網を介して携帯電話機にダウンロードし、携帯電話機に搭載されたブラウザにより、携帯電話機の表示部にそのまま画面表示するという方法が採用されている。
しかしながら、前述した従来の株価情報提供方法では、サーバ側で予め生成されて用意された株価チャートの画像情報を、携帯電話機側にダウンロードして画面表示するだけなので、携帯電話機の表示部の画面上に、異なる画像を描く場合には、その都度、データ量の大きい画像情報をサーバからダウンロードしなければならず、時間もかかることから、変化や動きのある画像の連続描画には適さない。このため、株価チャートの表示を変化させたり、株価チャートの画面を切り換える等の多様な表示処理を容易に行うことができるようにし、株価情報の閲覧者に対し、より質の高いサービスを提供できるようにすることが望まれる。また、このような多様な表示処理を可能とし、株価情報を取得する際における携帯電話機の使い勝手を向上させることが望まれる。
さらに、株価チャートの絵柄を描くための画像情報（イメージデータを含む情報）は、株価情報に関するデータ（例えば、４本値、出来高、移動平均等の数値データやテキストデータ）に比べ、情報量が多いので、絵柄を含む画像情報の送受信を繰り返せば、パケット通信の場合には通信するパケットの量も多くなり、時間がかかるだけでなく、コスト面でも負担が大きくなる。このため、通信する情報量の低減を図ることができる株価情報提供方法が望まれている。
本発明の目的は、提供するサービスの向上および通信する情報量の低減を図ることができる株価情報提供方法および携帯電話機、並びに携帯電話機搭載用プログラムおよび株価情報提供用サーバを提供するところにある。
発明の開示
本発明は、携帯電話を用いて株価情報を提供する株価情報提供方法であって、携帯電話機搭載用プログラムの実行環境を備えた携帯電話機により、株価情報を提供する株価情報提供用サーバから通信網を介して携帯電話機搭載用プログラムを取得させ、携帯電話機に携帯電話機搭載用プログラムを搭載させた後、携帯電話機上で携帯電話機搭載用プログラムを実行させることにより、株価情報提供用サーバから通信網を介して株価情報に関するデータを取得させるとともに、この取得させたデータに基づき株価チャートを生成させて携帯電話機の表示部に画面表示させることを特徴とするものである。
ここで、携帯電話機搭載用プログラムとは、ブラウザ等の携帯電話機に内蔵されるプログラムではなく、携帯電話機の外部から取得して携帯電話機に搭載されるプログラムである。例えば、ＪＡＶＡプログラミング言語で記述されたプログラム等を好適に用いることができる。また、容量的には、例えば、１０キロバイト（ＫＢ）程度若しくはそれ以下のプログラム等を好適に用いることができるが、これに限定されるものではなく、通信速度の向上や携帯電話機のメモリー容量の増大等に伴い、より大きな容量のプログラムとしてもよく、例えば、３０キロバイト程度若しくはそれ以下の容量のプログラム等としてもよい。
また、携帯電話機に備えられる「携帯電話機搭載用プログラムの実行環境」とは、ブラウザ等の携帯電話機に内蔵されるプログラムの実行環境ではなく、携帯電話機の外部から取得して携帯電話機に搭載されるプログラムの実行環境を意味する。例えば、携帯電話機搭載用プログラムがＪＡＶＡプログラムである場合には、携帯電話に対応するＪＡＶＡの実行環境であり、携帯電話機の内部に携帯電話専用のＪＡＶＡ仮想マシン（例えばＫＶＭ等）を搭載していることを意味する。
より具体的には、例えば、ＣＬＤＣ（Ｃｏｎｎｅｃｔｅｄ  Ｌｉｍｉｔｅｄ  Ｄｅｖｉｃｅ  Ｃｏｎｆｉｇｕｒａｔｉｏｎ）の規格に従ったＪＡＶＡ実行環境等とすることが好適である。ここで、ＣＬＤＣの規格とは、ＪＡＶＡ２ＭＥの一部として定義されている実行環境のうち、携帯電話やパーソナル・デジタル・アシスタント（ＰＤＡ）等の小型端末であって中央演算処理装置（ＣＰＵ）やメモリ容量等の機能に制限があるデバイスを対象としたコンフィグレーションである。このＣＬＤＣは、次の特性を持つ小型デバイス向けのコンフィグレーションとして、主にＪＡＶＡ言語およびバーチャルマシンの機能、コアライブラリ、入出力、ネットワーク、セキュリティ機能を定義している。すなわち、（１）ＪＡＶＡ環境用に１６０キロバイト〜５１２キロバイトの合計メモリを有し、（２）１６ビットまたは３２ビットのプロセッサを備え、（３）低電力消費、電池でも動作し、（４）特定のネットワーク（無線、途中切断の可能性のある状況下）での接続性があることが条件となっている。なお、ＭＩＤＰ（Ｍｏｂｉｌｅ  Ｉｎｆｏｒｍａｔｉｏｎ  Ｄｅｖｉｃｅ  Ｐｒｏｆｉｌｅ：ＪＡＶＡ２で定義されているＡＰＩセットの１つで、携帯電話等での使用を想定したＪＡＶＡ実行環境の仕様）、あるいは携帯電話会社が提供するサービスの仕様である「ｉアプリ」（商標）も、ＣＬＤＣの規格の中に位置付けられるため、これらのいずれにも本発明を好適に適用することができる。
さらに、通信網は、株価情報の閲覧者が支払う料金面、あるいは株価情報提供者が現在提供している株価情報の被閲覧量を把握可能であるという観点等から、パケット通信網であることが好ましい。
そして、「株価情報に関するデータ」とは、例えば、４本値（始値、終値、高値、安値）、出来高、移動平均等の数値データやテキストデータなどであり、要するにイメージデータではないものである。また、「取得したデータに基づき株価チャートを生成して」とは、携帯電話機上で携帯電話機搭載用プログラムを実行させることにより、携帯電話機において、取得した数値データ等（絵柄を含む画像情報ではないもの）に基づき、絵柄を含む画像情報としての株価チャートを生成するという意味である。
また、本発明における携帯電話および携帯電話機には、パーソナル・ハンディフォン・システム（ＰＨＳ）およびその対応機種も含まれる。
このような本発明においては、従来のようにサーバ側で株価チャートを生成するのではなく、携帯電話機上で携帯電話機搭載用プログラムを実行することにより、株価情報提供用サーバから株価情報に関するデータを取得し、この取得したデータに基づき携帯電話機側で株価チャートを生成する。
従って、携帯電話機の表示部に表示されている株価チャートの画像に変化を与える場合、例えば、株価チャートの画像を構成する一部の絵柄を変化させる場合、株価チャート画面の中に表示されたデータを更新する場合、株価チャート画面の全体を別の種類の画面に切り換える場合等に、その都度、サーバから画像情報をダウンロードする必要はなくなり、携帯電話機搭載用プログラムにより携帯電話機上で描画のための画像情報を生成すればよいだけとなるか、あるいは、一つの株価チャート画面を構成する完成された画像情報をサーバからダウンロードして取得するのではなく、画像の生成に必要なデータだけをサーバから取得し、このデータに基づき携帯電話機搭載用プログラムにより携帯電話機上で画像を生成すればよくなる。
このため、株価チャートの表示を変化させたり、株価チャートの画面を切り換える等の多様な表示処理を、容易に行うことができるようになる。例えば、株価チャートにおいて、各種の線や点やマークの移動表示、拡大表示、縮小表示、特定箇所をピックアップしての強調表示や詳細表示、特定箇所の点滅表示、色彩の変更等の様々な表示変更を容易に実現することが可能となる。また、種類の異なる株価チャート間（例えば、日中足チャート、日足チャート、週足チャート、月足チャート間）での画面切換処理を容易に行うことが可能となる。従って、株価情報の閲覧者に対し、より質の高いサービスを提供できるようになり、携帯電話機の使い勝手を向上させることが可能となる。
また、株価情報に関するデータ（例えば、４本値、出来高、移動平均等の数値データやテキストデータ）は、株価チャートの絵柄を描くための画像情報に比べ、情報量が少ないので、比較的容量の多い携帯電話機搭載用プログラムを最初に一度だけダウンロードすれば、その後は容量の少ないデータを送受信するだけでよくなる。このため、絵柄を含む画像情報の送受信を繰り返す場合に比べ、通信する情報量（パケット通信の場合には通信するパケットの量）を減らすことが可能となり、処理時間の短縮や通信料金の低減を図ることが可能となり、これらにより前記目的が達成される。
また、本発明は、携帯電話機搭載用プログラムの実行環境を備えた携帯電話機であって、株価情報を提供する株価情報提供用サーバから通信網を介して取得した携帯電話機搭載用プログラムを記憶する取得プログラム記憶手段と、株価情報を含む各種情報を画面表示する表示部と、携帯電話機搭載用プログラムを実行して株価情報提供用サーバから通信網を介して株価情報に関するデータを取得する株価情報データ取得手段と、携帯電話機搭載用プログラムを実行して株価情報データ取得手段により取得したデータに基づき株価チャートを生成して表示部に画面表示する株価チャート生成手段とを備えたことを特徴とするものである。
このような本発明においては、前述した本発明の株価情報提供方法で用いられる携帯電話機が実現されるので、前述した本発明の株価情報提供方法で得られる効果、すなわち、提供するサービスの質の向上効果や通信する情報量の低減効果がそのまま得られ、これらにより前記目的が達成される。
さらに、前述した携帯電話機において、株価情報データ取得手段により取得されるデータには、始値、終値、高値および安値が含まれ、株価チャート生成手段により生成される株価チャートには、始値、終値、高値および安値をまとめて表示するローソク足が含まれることが望ましい。
このように携帯電話機搭載用プログラムにより携帯電話機上で生成される株価チャートにローソク足を含めるようにした場合には、株価情報の閲覧者は、いわゆる４本値（始値、終値、高値、安値）を短時間で把握できるようになるため、提供するサービスの質の向上や携帯電話機の使い勝手の向上が、より一層図られる。
そして、前述した携帯電話機において、株価情報データ取得手段により取得されるデータには、出来高および少なくとも一種類の移動平均が含まれ、株価チャート生成手段により生成される株価チャートには、出来高を表示する棒グラフおよび移動平均を結んで形成される少なくとも一本の移動平均線が含まれることが望ましい。
ここで、移動平均とは、過去一定期間の終値の平均であり、「少なくとも一種類」の移動平均とは、移動平均が一種類だけあってもよく、あるいは期間の長さの相違する移動平均（例えば、６日、２５日  ７５日、１００日、１５０日、２００日の移動平均等）が複数種類あってもよい趣旨である。また、「移動平均を結んで形成される」とは、株価チャート上で隣り合う同一種類の移動平均どうしを次々に連結して形成するという意味であり、「少なくとも一本」の移動平均線とは、携帯電話機の表示部に画面表示されている一つの株価チャート（例えば、日中足チャート、日足チャート、週足チャート、月足チャート等のうちのいずれであってもよい。）において移動平均線が一本であってもよく、複数本であってもよい趣旨である。但し、提供するサービスの質の向上等の観点から、移動平均線は複数本とすることが好ましい。そして、複数本とする場合には、複数本の移動平均線は、それぞれ異なる色で表示されることが好ましい。なお、チャートの種類（例えば、月足チャート等）によっては、移動平均線を表示しなくてもよく、要するに、いずれかの種類のチャートに移動平均線が少なくとも一本表示されるようになっていればよい。
このように携帯電話機搭載用プログラムにより携帯電話機上で生成される株価チャートに出来高棒グラフおよび移動平均線を含めるようにした場合には、株価情報の閲覧者は、出来高や移動平均の推移を短時間で把握できるようになるため、提供するサービスの質の向上や携帯電話機の使い勝手の向上が、より一層図られる。
また、前述した携帯電話機において、株価情報データ取得手段は、株価情報の閲覧者の選択操作に基づき、日中を一定の時間間隔で区切って得られる連続する複数の時間区画のデータ、連続する複数の日のデータ、連続する複数の週のデータ、連続する複数の月のデータのうちのいずれか一種のデータを取得する構成とされ、株価チャート生成手段は、連続する複数の時間区画のデータに基づき生成される日中足チャート上で各時間区画のデータの表示位置間を移動するか、連続する複数の日のデータに基づき生成される日足チャート上で各日のデータの表示位置間を移動するか、連続する複数の週のデータに基づき生成される週足チャート上で各週のデータの表示位置間を移動するか、または連続する複数の月のデータに基づき生成される月足チャート上で各月のデータの表示位置間を移動するスライドバーを生成して表示部に画面表示する構成とされていることが望ましい。
ここで、「日中を一定の時間間隔で区切って得られる連続する複数の時間区画のデータ」とは、日中の時間を、例えば３分おき、１分おき等、一定の時間間隔で仕切って区画し、それらの各時間区画についてデータをそれぞれ用意するようにした場合において、連続する複数の時間区画のデータを取得するという意味である。なお、「一定の時間間隔」は、何秒単位、何分単位、何時間単位等、任意である。また、「連続する複数の日」とは、取引の行われる日のみを考慮したときに連続するという意味である。
また、株価情報提供用サーバには、連続する複数の時間区画のデータ、連続する複数の日のデータ、連続する複数の週のデータ、連続する複数の月のデータという四種類のデータの全てが取得できるように用意されている必要はなく、例えば、連続する複数の日のデータのみが取得できるように用意されていてもよく、その場合には、連続する複数の日のデータを取得して日足チャート上でスライドバーを生成するようになっていればよい。要するに、少なくとも一種類のデータが用意されていればよく、複数種類のデータが用意されている場合には、それらのうちのいずれか一種のデータを取得してそのチャート上でスライドバーを生成すればよく、一種類のデータしか用意されていない場合には、その用意されている一種類のデータを取得してそのチャート上でスライドバーを生成すればよい。
このように携帯電話機搭載用プログラムにより携帯電話機上で生成される株価チャートにスライドバーを含めるようにした場合には、株価情報の閲覧者は、株価チャート上で詳細情報を参照したい時間区画、日、週、または月のデータの表示位置にスライドバーを合わせることで、その時間区画、日、週、または月の詳細情報を容易に把握できるようになるため、提供するサービスの質の向上や携帯電話機の使い勝手の向上が、より一層図られる。
また、このような株価チャート上で移動するスライドバーの表示は、従来のようにサーバに予め用意された画像情報としての株価チャートをダウンロードするだけの方法では、実現することが困難であり、本発明のように携帯電話機搭載用プログラムにより携帯電話機上で株価チャートを生成する方法を採用することで、初めて実現可能となるものである。従って、本発明の特徴が特に活かされることになる。
なお、株価チャートにおいて、以上に述べたローソク足、出来高を表示する棒グラフ、移動平均線、スライドバーは、組み合わせて表示してもよい。
そして、前述した携帯電話機において、表示部の画面サイズを認識する画面サイズ認識手段を備え、株価チャート生成手段は、画面サイズ認識手段により認識した画面サイズ情報に基づき、表示部の画面サイズに応じて画面上に描く株価チャートまたはその構成要素の表示についての縦横比または縮尺を変化させる構成とされていることが望ましい。
ここで、「表示部の画面サイズに応じて画面上に描く株価チャートまたはその構成要素の表示についての縦横比または縮尺を変化させる構成」は、画面サイズ認識手段により認識した画面サイズ情報に基づき、株価チャート生成手段により、つまり携帯電話機搭載用プログラムにより携帯電話機上で、株価チャートまたはその構成要素を画面上に表示するために必要となる座標値（例えば、ローソク足の座標値等）を計算し、かつ、計算した座標値を用いて描画処理を行う構成であってもよく、あるいは、画面サイズ認識手段により認識した画面サイズ情報を携帯電話機搭載用プログラムにより携帯電話機から株価情報提供用サーバに送信し、株価情報提供用サーバで、携帯電話機から受信した画面サイズ情報に基づき株価チャートまたはその構成要素を画面上に表示するために必要となる座標値（例えば、ローソク足の座標値等）を計算した後、計算した座標値を株価情報提供用サーバから携帯電話機に送信し、株価チャート生成手段により、株価情報提供用サーバから受信した座標値を用いて描画処理を行う構成であってもよい。なお、後者の構成の場合には、株価情報データ取得手段により取得されるデータは、株価情報そのものの値ではなく、その値に対応する絵柄（その値を画面上で表現するための絵柄）を描くための描画用の座標値となる。
このように画面サイズを認識して株価チャートまたはその構成要素の表示についての縦横比または縮尺（倍率）を変化させる構成とした場合には、表示部の画面サイズに応じた表示を行うことが可能となり、表示の最適化を図ることが可能となる。また、携帯電話機の機種の相違による表示部の画面サイズの相違に起因して生じる不都合、すなわち生成した画面が表示部に収まらずに切れてしまう状態になるという不都合を未然に防止することが可能となり、これらによっても、提供するサービスの質の向上や携帯電話機の使い勝手の向上が、より一層図られる。
また、前述した携帯電話機において、株価情報閲覧者が閲覧したい銘柄を登録する銘柄登録手段と、株価情報閲覧者により登録された銘柄を記憶する登録銘柄記憶手段と、株価情報データ取得手段により取得したデータに基づき株価一覧画面を生成して表示部に画面表示する株価一覧画面生成手段とを備え、株価一覧画面生成手段は、銘柄登録手段を用いて登録されて登録銘柄記憶手段に記憶された登録済みの各銘柄について、市場、銘柄コード、銘柄名、現在値、前日比、およびデータ時刻を含む表示を行う構成とされていることが望ましい。
このように銘柄登録手段、登録銘柄記憶手段、および株価一覧画面生成手段を設けた場合には、株価情報閲覧者は、自分の閲覧したい銘柄を携帯電話機に登録保存しておき、自分の閲覧したい銘柄のみの株価一覧画面を表示することが可能となるので、使い勝手がより一層向上する。
さらに、上述したような株価一覧画面の表示を行う場合において、前日比を示す矢印は、上昇と下落とで異なる色の表示となることが望ましい。このように上昇と下落とを異なる色で表示すれば、株価情報閲覧者は、情報を把握し易くなるので、使い勝手がより一層向上する。
そして、前述した携帯電話機において、株価情報データ取得手段により取得したデータに基づき株価詳細画面を生成して表示部に画面表示する株価詳細画面生成手段を備え、株価詳細画面生成手段は、株価一覧画面上で選択された銘柄について、市場、銘柄コード、銘柄名、データ日時、取引値、前日比、始値、高値、安値、および出来高を含む表示を行う構成とされていることが望ましい。
このように株価詳細画面生成手段を設けた場合には、株価情報閲覧者は、株価一覧画面から株価詳細画面へと移行して株価情報の詳細を容易に把握することが可能となる。
また、上述したような株価詳細画面の表示を行う場合において、前日比の数値は、プラスとマイナスとゼロとでそれぞれ異なる色の表示となることが望ましい。このようにプラスとマイナスとゼロとを異なる色で表示すれば、株価情報閲覧者は、情報を把握し易くなるので、使い勝手がより一層向上する。
さらに、前述した携帯電話機において、株価一覧画面および株価詳細画面で表示するデータを自動更新する時間間隔を設定するタイマー設定手段と、株価一覧画面および株価詳細画面で表示するデータをタイマーで自動更新する時間間隔を記憶するタイマー間隔記憶手段とを備え、株価一覧画面生成手段および株価詳細画面生成手段は、タイマー設定手段を用いて設定されてタイマー間隔記憶手段に記憶された時間間隔で、株価情報データ取得手段により株価情報提供用サーバから取得した最新のデータに基づき株価詳細画面および株価一覧画面をそれぞれ生成する処理を繰り返す構成とされていることが望ましい。
このようにタイマー設定手段およびタイマー間隔記憶手段を設けた場合には、株価情報閲覧者の設定した時間間隔で、閲覧データの自動更新を行うことができるので、株価情報閲覧者は、最新のデータを閲覧することが可能となり、サービスの質の向上が図られる。
そして、上述したようにタイマーで閲覧データの自動更新を行う構成とした場合において、株価一覧画面生成手段および株価詳細画面生成手段は、自動更新により数値が変化した箇所の色を反転させる構成とされていることが望ましい。このように数値が変化した箇所の色を反転させる構成とした場合には、株価情報閲覧者は、情報を把握し易くなるので、使い勝手がより一層向上する。
また、前述した携帯電話機において、株価チャート生成手段は、株価情報データ取得手段により取得される連続する複数の日のデータに基づき日足チャートを生成する構成とされ、株価詳細画面には、日足チャートが表示される日足チャート画面へ移行するためのボタンが設けられていることが望ましい。
このように株価詳細画面から日足チャート画面へ移行可能な構成とした場合には、株価情報閲覧者は、情報を把握し易くなるので、使い勝手がより一層向上する。
さらに、前述した携帯電話機において、株価チャート生成手段は、株価情報データ取得手段により取得される連続する複数の日のデータに基づき日足チャートを生成し、かつ、株価情報データ取得手段により取得される連続する複数の週のデータに基づき週足チャートを生成し、かつ、株価情報データ取得手段により取得される連続する複数の月のデータに基づき月足チャートを生成する構成とされ、日足チャートが表示される日足チャート画面には、週足チャートが表示される週足チャート画面へ移行するためのボタンが設けられ、週足チャート画面には、月足チャートが表示される月足チャート画面へ移行するためのボタンが設けられ、月足チャート画面には、日足チャート画面へ移行するためのボタンが設けられ、これらのボタンを繰り返し操作することにより、日足チャート画面、週足チャート画面、および月足チャート画面の順に、これらの画面をループ表示可能な構成とされていることが望ましい。ここで、各ボタンは、表示部に表示される各画面上の同じ位置に設けられている（例えば、各画面の右下隅位置等で統一する。
）ことが操作性向上の観点から好ましい。
このように日足チャート画面、週足チャート画面、月足チャート画面をループ表示可能な構成とした場合には、携帯電話機の表示部という限られた画面スペースにおいて必要情報を効率よく表示して株価情報閲覧者に提供することができるので、株価情報閲覧者は、携帯電話機であっても十分な情報を得ることが可能となり、提供するサービスの質の向上や携帯電話機の使い勝手の向上が、より一層図られる。
さらに、以上に述べた携帯電話機において、携帯電話機搭載用プログラムは、ＪＡＶＡプログラミング言語で記述されていることが望ましい。
このように携帯電話機搭載用プログラムをＪＡＶＡプログラムとした場合には、ＪＡＶＡの機能を活かし、本発明の携帯電話機を容易に実現することが可能となる。
そして、本発明は、通信網を介して取得されて携帯電話機に搭載される携帯電話機搭載用プログラムであって、株価情報を提供する株価情報提供用サーバから通信網を介して株価情報に関するデータを取得する株価情報データ取得手段と、この株価情報データ取得手段により取得したデータに基づき株価チャートを生成して携帯電話機の表示部に画面表示する株価チャート生成手段として、携帯電話機を機能させるためのものである。
また、本発明の携帯電話機搭載用プログラムは、前述した本発明の携帯電話機の場合と同様に、株価チャートにおいて、ローソク足、出来高を表示する棒グラフ、移動平均線、スライドバー、あるいはこれらの組み合わせの表示を行うものである。
なお、本発明の携帯電話機搭載用プログラムまたはその一部は、光磁気ディスク（ＭＯ）、コンパクトディスク（ＣＤ）を利用した読出し専用メモリ（ＣＤ−ＲＯＭ）、ＣＤレコーダブル（ＣＤ−Ｒ）、ＣＤリライタブル（ＣＤ−ＲＷ）、デジタル・バーサタイル・ディスク（ＤＶＤ）を利用した読出し専用メモリ（ＤＶＤ−ＲＯＭ）、ＤＶＤを利用したランダム・アクセス・メモリ（ＤＶＤ−ＲＡＭ）、フレキシブルディスク（ＦＤ）、磁気テープ、ハードディスク、読出し専用メモリ（ＲＯＭ）、ランダム・アクセス・メモリ（ＲＡＭ）等の記録媒体に記録して保存や流通等させることが可能であるとともに、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等の有線ネットワーク、あるいは無線通信ネットワーク、さらにはこれらの組合せ等の伝送媒体を用いて伝送することが可能であり、また、搬送波に載せて搬送することも可能である。さらに、本発明の携帯電話機搭載用プログラムは、他の携帯電話機搭載用プログラムの一部分であってもよく、あるいは別個のプログラム（携帯電話機搭載用プログラムに限らない。）と共に記録媒体に記録されていてもよい。
また、本発明は、携帯電話を用いて株価情報を提供する株価情報提供用サーバであって、携帯電話機に搭載させるための供給用の携帯電話機搭載用プログラムを記憶する供給用プログラム記憶手段に接続されるとともに、株価情報に関するデータを記憶する株価情報データ記憶手段に接続され、株価情報の閲覧者からの要求に応じて通信網を介して携帯電話機に携帯電話機搭載用プログラムを送信するプログラム送信手段と、株価情報の閲覧者からの要求に応じて通信網を介して携帯電話機に株価情報に関するデータを送信する株価情報データ送信手段とを備え、携帯電話機搭載用プログラムは、携帯電話機上で実行されることにより、通信網を介して取得した株価情報に関するデータに基づき株価チャートを生成して携帯電話機の表示部に画面表示する処理を行うことを特徴とするものである。
そして、本発明の株価情報提供用サーバにより送信される携帯電話機搭載用プログラムは、前述した本発明の携帯電話機の場合と同様に、株価チャートにおいて、ローソク足、出来高を表示する棒グラフ、移動平均線、スライドバー、あるいはこれらの組み合わせの表示を行うものである。
以上に述べたように本発明によれば、携帯電話機上で携帯電話機搭載用プログラムを実行することにより、株価情報提供用サーバから株価情報に関するデータを取得し、この取得したデータに基づき携帯電話機側で株価チャートを生成するので、株価チャートの表示を変化させたり、株価チャートの画面を切り換える等の多様な表示処理を容易に行うことができるため、提供するサービスの向上および通信する情報量の低減を図ることができるという効果がある。
発明を実施するための最良の形態
以下に本発明の一実施形態について図面を参照して説明する。第１図には、本発明の株価情報提供方法を実現する本実施形態の株価情報提供システム１０の全体構成が示されている。第２図には、株価情報提供システム１０で用いられる携帯電話機３０の詳細構成が示されている。
第１図において、株価情報提供システム１０は、携帯電話会社が所有・管理するパケット通信網１と、このパケット通信網１に接続された携帯電話会社の管理センター２と、専用線３により管理センター２に接続された株価情報提供者が運用・管理する株価情報提供用サーバ２０と、株価情報の閲覧者が使用する携帯電話機３０とを備えて構成されている。携帯電話機３０は、アンテナ３１から発信され又はアンテナ３１で受信される電波４により図示されない無線基地局を介してパケット通信網１に接続されている。第１図では、携帯電話機３０は、１台しか図示されていないが、通常は、多数の携帯電話機３０がシステム１０の構成要素となる。
株価情報提供用サーバ２０は、一台または複数台のコンピュータにより構成され、携帯電話機３０からの株価情報閲覧者の要求に応じてパケット通信網１を介して携帯電話機３０に向かって説明事項データを送信する説明事項データ送信手段２１と、携帯電話機３０からの株価情報閲覧者の要求に応じてパケット通信網１を介して携帯電話機３０に向かって供給用の携帯電話機搭載用プログラムを送信するプログラム送信手段２２と、携帯電話機３０からの株価情報閲覧者の要求に応じてパケット通信網１を介して携帯電話機３０に向かって株価情報に関するデータを送信する株価情報データ送信手段２３とを備えている。
また、株価情報提供用サーバ２０には、株価情報提供者の免責事項および携帯電話機搭載用プログラムの仕様や取扱い等を株価情報閲覧者に対して説明するための説明事項データを記憶する説明事項データ記憶手段２４と、携帯電話機３０に搭載させるための供給用の携帯電話機搭載用プログラムを記憶する供給用プログラム記憶手段２５と、株価情報に関するデータを記憶する株価情報データ記憶手段２６とが接続されている。これらの各記憶手段２４〜２６は、例えばハードディスク等により構成されている。
供給用プログラム記憶手段２５に記憶された携帯電話機搭載用プログラムは、携帯電話機３０からの要求に応じ、携帯電話機３０にダウンロードするために用意された携帯電話用コンテンツである。この携帯電話機搭載用プログラムは、ＪＡＶＡプログラミング言語で記述され、容量的には、例えば、１０キロバイト程度若しくはそれ以下のものである。より具体的には、例えば、携帯電話会社の提供するネットワーク接続サービスの一つである「ｉアプリ」（商標）の対象となるＪＡＶＡアプリケーション等である。
株価情報データ記憶手段２６に記憶された株価情報に関するデータには、銘柄名、銘柄コード、市場、データ日時、市場から２０分遅れの取引値若しくは取引終了時の終値、前日比、始値、高値、安値、出来高、移動平均等が含まれる。移動平均は、本実施形態では、日足チャートで表示するためのものが２種類（５週間の平均、１３週間の平均）あり、週足チャートで表示するためのものが２種類（１３週間の平均、２６週間の平均）あるが、これに限定されるものではなく、各チャートで表示する移動平均の期間の長さや種類の数は適宜定めればよい。なお、月足チャートでは、移動平均は表示しない。
第１図および第２図において、携帯電話機３０は、電波４の送受信を行うためのアンテナ３１と、株価情報を含む各種情報を画面表示する表示部３２と、株価情報閲覧者（携帯電話機３０の使用者）がキー入力操作を行う操作部３３と、株価情報の提供に関する各種処理を行う処理手段４０と、株価情報提供用サーバ２０からパケット通信網１を介してダウンロードして取得した携帯電話機搭載用プログラムを記憶する取得プログラム記憶手段５０と、株価情報閲覧者により登録された銘柄を記憶する登録銘柄記憶手段５１と、株価一覧画面１００や株価詳細画面１０１（第９図参照）で表示するデータをタイマーで自動更新する時間間隔を記憶するタイマー間隔記憶手段５２とを備えて構成されている。
表示部３２は、例えば液晶画面等により構成され、画面サイズは、例えば、横全角文字数×縦行数＝８×７程度、液晶画面領域横×縦＝１１８×１１５ピクセル程度のもの等を採用できるが、このサイズに限定されるものではない。
操作部３３は、表示部３２の画面上で選択指示した項目や入力した情報を確定させる決定ボタン３４と、表示部３２の画面上の選択指示位置（例えば、色付け表示、枠囲い表示、反転表示、点滅表示等によるフォーカス位置）やカーソル位置等を上下左右に移動させる移動操作ボタン３５とを備え、その他、数字、かな文字、漢字、アルファベット文字等の各種文字を入力する複数のキーを備えて構成されている。
処理手段４０は、株価情報閲覧者が閲覧したい銘柄を登録する銘柄登録手段４１と、この銘柄登録手段４１で登録された銘柄を削除する銘柄削除手段４２と、株価情報提供用サーバ２０からパケット通信網１を介して株価情報に関するデータをダウンロードして取得する株価情報データ取得手段４３と、この株価情報データ取得手段４３により取得したデータに基づき株価一覧画面１００（第９図参照）を生成して表示部３２に画面表示する株価一覧画面生成手段４４と、株価情報データ取得手段４３により取得したデータに基づき株価詳細画面１０１（第９図参照）を生成して表示部３２に画面表示する株価詳細画面生成手段４５と、株価情報データ取得手段４３により取得したデータに基づき株価チャート画面１０２，１０３，１０４（第９図参照）を生成して表示部３２に画面表示する株価チャート生成手段４６と、株価一覧画面１００や株価詳細画面１０１で表示するデータを自動更新する時間間隔を設定するタイマー設定手段４７と、表示部３２の画面サイズを認識する画面サイズ認識手段４８とを備えている。
株価チャート生成手段４６は、株価チャート画面１０２，１０３，１０４（第９図参照）の上段に銘柄名・銘柄コード・市場の表示を生成する銘柄表示生成部４６Ａと、株価チャート画面１０２，１０３，１０４の中段の株価チャート１０２Ａ，１０３Ａ，１０４Ａの中にローソク足１０２Ｂ，１０３Ｂ，１０４Ｂを生成して表示するローソク足生成部４６Ｂと、株価チャート１０２Ａ，１０３Ａ，１０４Ａの中に出来高を示す出来高棒グラフ１０２Ｃ，１０３Ｃ，１０４Ｃを生成して表示する出来高棒グラフ生成部４６Ｃと、株価チャート１０２Ａ，１０３Ａの中に移動平均線１０２Ｄ，１０２Ｅ，１０３Ｄ，１０３Ｅを生成して表示する移動平均線生成部４６Ｄと、株価チャート１０２Ａ，１０３Ａ，１０４Ａの中にスライドバー１０２Ｆ，１０３Ｆ，１０４Ｆを生成して表示するスライドバー生成部４６Ｅと、株価チャート画面１０２，１０３，１０４の下段にスライドバー１０２Ｆ，１０３Ｆ，１０４Ｆが指している日・週・月およびその日・週・月における出来高と４本値（始値、高値、安値、終値）の数値表示を生成する数値表示生成部４６Ｆとを備えて構成されている。
画面サイズ認識手段４８は、携帯電話機３０の機種毎に定まる表示部３２の画面サイズを認識するものであり、この画面サイズ認識手段４８により認識した画面サイズ情報は、処理手段４０を構成する他の手段４１〜４７により各画面を生成して表示部３２に表示する際に利用される。すなわち、各手段４１〜４７は、画面サイズ認識手段４８により認識した画面サイズ情報に基づき、表示部３２の画面サイズに応じて各画面に描く表示の縦横比や縮尺（倍率）を変化させて最適化するようになっている。例えば、株価チャート生成手段４６により生成される株価チャート１０２Ａ，１０３Ａ，１０４Ａの縦横比や縮尺、あるいは株価チャート１０２Ａ，１０３Ａ，１０４Ａの各構成要素（ローソク足生成部４６Ｂにより生成されるローソク足１０２Ｂ，１０３Ｂ，１０４Ｂ、出来高棒グラフ生成部４６Ｃにより生成される出来高棒グラフ１０２Ｃ，１０３Ｃ，１０４Ｃ、移動平均線生成部４６Ｄにより生成される移動平均線１０２Ｄ，１０２Ｅ，１０３Ｄ，１０３Ｅ）の縦横比や縮尺は、画面サイズ認識手段４８により認識した画面サイズ情報に基づき、変化して最適化されるようになっていることが好ましい。なお、縦横比の最適化とは、例えば、表示部３２が縦長の場合には、縦長の表示にし、横長の場合には、横長の表示にすること等をいい、縮尺の最適化とは、例えば、表示部３２が大きい場合には、拡大表示し、小さい場合には、縮小表示すること等をいう。
この際、表示部３２の画面サイズに応じて各画面に描く表示の縦横比や縮尺（倍率）を変化させて最適化するにあたっては、少なくとも画面上への描画処理が、携帯電話機３０の処理手段４０を構成する各手段４１〜４７により行われるようになっていればよく、その前段階の処理である画面上に表示される各表示要素の座標値の算出処理は、各手段４１〜４７自体により行ってもよく、あるいは、株価情報提供用サーバ２０により行ってもよい。すなわち、例えば、株価チャート生成手段４６により、株価チャート１０２Ａ，１０３Ａ，１０４Ａまたはその各構成要素（ローソク足１０２Ｂ，１０３Ｂ，１０４Ｂ、出来高棒グラフ１０２Ｃ，１０３Ｃ，１０４Ｃ、移動平均線１０２Ｄ，１０２Ｅ，１０３Ｄ，１０３Ｅ）を画面上に表示するために必要となる座標値を計算し、かつ、計算した座標値を用いて描画処理を行ってもよく、あるいは、画面サイズ認識手段４８により認識した画面サイズ情報を、携帯電話機搭載用プログラムにより携帯電話機３０から株価情報提供用サーバ２０に送信し、株価情報提供用サーバ２０で、携帯電話機３０から受信した画面サイズ情報に基づき株価チャート１０２Ａ，１０３Ａ，１０４Ａまたはその各構成要素を画面上に表示するために必要となる座標値を計算した後、計算した座標値を株価情報提供用サーバ２０から携帯電話機３０に送信し、その後、株価チャート生成手段４６により、株価情報提供用サーバ２０から受信した座標値を用いて描画処理を行ってもよい。なお、座標値とは、画面上に絵柄を描くための描画用の座標値であり、例えば、ローソク足１０２Ｂ，１０３Ｂ，１０４Ｂの座標値の場合には、ローソク足が縦線と長方形（または正方形）とにより構成されているので、縦線の上端および下端の各座標値、並びに長方形（または正方形）の左上角部および右下角部の各座標値である。
このような各画面に描く表示の縦横比や縮尺（倍率）の最適化は、より具体的には、例えば、画面上に表示すべき株価や出来高の変動幅（例えば、２９日分のデータの中での最大値と最小値との差等）を計算し、計算した変動幅が、画面サイズ認識手段４８により認識した画面サイズ情報のうちの縦方向のサイズ（縦方向のサイズの全部または一部の幅）に収まるようにする処理等である。
また、株価チャート画面１０２，１０３，１０４において、ローソク足１０２Ｂ，１０３Ｂ，１０４Ｂおよび移動平均線１０２Ｄ，１０２Ｅ，１０３Ｄ，１０３Ｅが描かれるローソク足・移動平均線描画区画（長方形または正方形の区画）と、出来高棒グラフ１０２Ｃ，１０３Ｃ，１０４Ｃが描かれる出来高棒グラフ描画区画（ローソク足・移動平均線描画区画と横幅が同じ長方形または正方形の区画）とは、重ならないようになっている。すなわち、上記のように、株価チャート１０２Ａ，１０３Ａ，１０４Ａを描く期間（例えば、２９日間等）における株価の変動幅（最高値と最安値との差）Ｈ１を求め、この株価の変動幅Ｈ１を、ローソク足・移動平均線描画区画の高さ方向の幅（縦幅）Ｔ１とする。一方、株価チャート１０２Ａ，１０３Ａ，１０４Ａを描く期間（例えば、２９日間等）における出来高の変動幅（最高出来高と最低出来高との差）Ｈ２を求め、この出来高の変動幅Ｈ２を、出来高棒グラフ描画区画の高さ方向の幅（縦幅）Ｔ２とする。そして、Ｔ１とＴ２とが一定の比率（例えば、Ｔ２＝Ｔ１／５等）となり、かつ、全体の幅（Ｔ１＋Ｔ２）が、画面サイズ認識手段４８により認識した画面サイズ情報のうちの縦方向のサイズ（携帯電話機３０の機種毎に異なる。）の与えられた部分（株価チャート画面１０２，１０３，１０４の中段に配置される株価チャート１０２Ａ，１０３Ａ，１０４Ａを描くために、携帯電話機搭載用プログラムにより確保される部分）に収まるように縦方向の縮尺を決定する。そして、ローソク足１０２Ｂ，１０３Ｂ，１０４Ｂおよび移動平均線１０２Ｄ，１０２Ｅ，１０３Ｄ，１０３Ｅ、並びに出来高棒グラフ１０２Ｃ，１０３Ｃ，１０４Ｃが、決定された縦方向の縮尺で描かれ、かつ、これらの各表示要素がローソク足・移動平均線描画区画内や出来高棒グラフ描画区画内にそれぞれ収まって描かれるように、描画用の座標値を計算する。
そして、処理手段４０を構成する各手段４１〜４８は、携帯電話機３０の内部に設けられた中央演算処理装置（ＣＰＵ）、並びにこのＣＰＵの動作手順を規定する携帯電話機搭載用プログラム（ＪＡＶＡプログラム）およびこのプログラムの実行環境を形成するために携帯電話機３０に予め装備されたＪＡＶＡ仮想マシン（ＫＶＭ）等により実現される。本実施形態のＪＡＶＡ仮想マシン（ＫＶＭ）は、ＣＬＤＣの規格に従ったＪＡＶＡ実行環境を形成するものであり、例えば、携帯電話会社が提供するサービスの仕様である「ｉアプリ」（商標）、あるいはＭＩＤＰ仕様に対応するものである。
また、処理手段４０は、図示されない携帯電話専用のブラウザ機能を備え、株価情報提供用サーバ２０から携帯電話専用に用意されたコンテンツ（例えば、株価情報閲覧者に対して株価情報提供者の免責事項や携帯電話機搭載用プログラムの仕様等を説明するための説明事項データ等）をダウンロードして表示部３２に画面表示できるようになっている。このようなコンテンツは、例えば、携帯電話会社が提供するサービスの仕様である「ｉモード」（商標）等に対応するものである。なお、処理手段４０は、管理センター２およびこれに接続された図示されないインターネットを介してＷＷＷサーバから一般のホームページの情報をダウンロードして表示部３２に画面表示できるようにもなっている。
取得プログラム記憶手段５０に記憶される携帯電話機搭載用プログラムは、一度、株価情報提供用サーバ２０からダウンロードして記憶されると、携帯電話機３０の電源を切っても取得プログラム記憶手段５０に保存されたままであり、再度、ダウンロードしなくても起動させることができるようになっている。但し、株価情報提供用サーバ２０で新しいバージョンの携帯電話機搭載用プログラムが用意された場合には、再度、その新しい携帯電話機搭載用プログラムをダウンロードして取得プログラム記憶手段５０に記憶保存させるものとする。
登録銘柄記憶手段５１には、株価情報閲覧者により銘柄登録手段４１で登録された各銘柄（２０銘柄まで登録可能）についての銘柄コード、市場、銘柄名が一組になって記憶され、これらの情報は、一度、登録されて記憶されると、株価情報閲覧者により銘柄削除手段４２で削除されない限り、携帯電話機３０の電源を切っても登録銘柄記憶手段５１に保存されたままである。
そして、取得プログラム記憶手段５０、登録銘柄記憶手段５１、タイマー間隔記憶手段５２、および図示されない内蔵ブラウザやＪＡＶＡ仮想マシン（ＫＶＭ）等の記憶手段は、例えば、読出し専用メモリ（ＲＯＭ）、ランダム・アクセス・メモリ（ＲＡＭ）、電気的消去および書換可能な読出し専用メモリ（ＥＥＰＲＯＭ）等の各種メモリにより構成されている。
このような本実施形態においては、以下のようにして株価情報の提供および取得が行われる。第３図には、株価情報の提供および取得に関する処理の流れを示すフローチャートが示されている。また、第４図〜第１０図には、これらの処理を行う際に携帯電話機３０の表示部３２に表示される画面例が示されている。
第３図において、先ず、株価情報閲覧者は、携帯電話機３０の電源を入れてこれを起動させ（ステップＳ１）、一方、株価情報提供者（例えば、証券会社等）は、自己の管理する株価情報提供用サーバ２０を起動して立ち上げる（ステップＳ２）。
続いて、株価情報閲覧者は、携帯電話機３０で、携帯電話会社が提供するＹサービス（例えば、「ｉモード」（商標）等）のメニューの中から、株価情報提供者（ここでは、「Ａ証券」とする。）のトップページ（Ｙサービスに対応したページ）の項目を選択してダウンロードの要求を行い、トップページの表示処理を開始する（ステップＳ３）。すると、株価情報提供用サーバ２０は、この要求信号を受信して携帯電話機３０にトップページの画面情報を送信する（ステップＳ４）。
そして、携帯電話機３０では、トップページの画面情報を受信すると、第４図の左上部分に示すようなトップページの画面（ＴＯＰ画面）６０を表示部３２に表示する。ＴＯＰ画面６０の中には、携帯電話会社が提供するサービス仕様（例えば、「ｉアプリ」（商標）等）に沿って株価情報提供者が用意したＸサービスのメニュー画面へ移動するための「Ｘサービスメニュー」ボタン６０Ａが設けられている。また、ＴＯＰ画面６０の最下部には、Ｙサービスのメニューに戻るための「Ｙサービスメニューへ」ボタン６０Ｂが設けられている。
次に、株価情報閲覧者は、ＴＯＰ画面６０において「Ｘサービスメニュー」ボタン６０Ａを押し、Ｘサービスに関する説明事項の表示処理を開始する（第３図のステップＳ５）。Ｘサービスに関する説明事項とは、株価情報提供者であるＡ証券が供給する携帯電話機搭載用プログラム「Ａ証券チャート」の仕様や取扱いの説明、および株価情報閲覧者に対するＡ証券の免責事項の説明等である。
株価情報提供用サーバ２０は、携帯電話機３０からのＸサービスメニューの要求信号を受信すると、説明事項データ記憶手段２４に記憶された説明事項データであるＸサービスメニューの画面情報を、説明事項データ送信手段２１により携帯電話機３０に送信する（第３図のステップＳ６）。そして、携帯電話機３０では、Ｘサービスメニューの画面情報を受信すると、第４図の中央に示すようなＸサービスメニュー画面６１を表示部３２に表示する。
Ｘサービスメニュー画面６１の中には、携帯電話機搭載用プログラム「Ａ証券チャート」の仕様説明が表示されるとともに、「Ａ証券チャート」が有する各機能の説明画面へ移動するための各種ボタン、すなわち「Ａ証券株価ボード」ボタン６１Ａ、「株価詳細」ボタン６１Ｂ、「株価チャート」ボタン６１Ｃ、「銘柄登録」ボタン６１Ｄ、「銘柄削除」ボタン６１Ｅ、「タイマー設定」ボタン６１Ｆが設けられている。また、これらの機能説明用のボタン６１Ａ〜６１Ｆの下側には、携帯電話機搭載用プログラム「Ａ証券チャート」をダウンロードするための「Ａ証券チャート」ダウンロードボタン６１Ｇが設けられている。さらに、Ｘサービスメニュー画面６１の最下部には、ＴＯＰ画面６０に戻るための「ＴＯＰ画面へ」ボタン６１Ｈが設けられている。
そして、株価情報閲覧者が、Ｘサービスメニュー画面６１において「Ａ証券株価ボード」ボタン６１Ａを押すと、この要求信号を受信した株価情報提供用サーバ２０が、説明事項データ記憶手段２４に記憶された説明事項データであるＡ証券株価ボード説明画面情報を、説明事項データ送信手段２１により携帯電話機３０に送信する（第３図のステップＳ６：なお、第３図のステップＳ５，Ｓ６の図示は簡略化され、複数回の信号の送受信がまとめて記載されている）。すると、携帯電話機３０は、この信号を受信し、第４図の右側部分に示すようなＡ証券株価ボード説明画面６２を表示部３２に表示する。
Ａ証券株価ボード説明画面６２の中には、株価一覧画面１００（第９図参照）の説明が表示されている。また、この株価一覧画面１００の説明の下側には、次の説明に移行するための「次の説明へ」ボタン６２Ａと、Ｘサービスメニュー画面６１へ戻るための「戻る」ボタン６２Ｂとが設けられている。さらに、Ａ証券株価ボード説明画面６２の最下部には、ＴＯＰ画面６０に戻るための「ＴＯＰ画面へ」ボタン６２Ｃが設けられている。
また、株価情報閲覧者が、Ｘサービスメニュー画面６１において「株価詳細」ボタン６１Ｂを押すか、またはＡ証券株価ボード説明画面６２において「次の説明へ」ボタン６２Ａを押すと、この要求信号を受信した株価情報提供用サーバ２０が、説明事項データ記憶手段２４に記憶された説明事項データである株価詳細画面説明画面情報を、説明事項データ送信手段２１により携帯電話機３０に送信する（第３図のステップＳ６）。すると、携帯電話機３０は、この信号を受信し、第５図の左側部分に示すような株価詳細画面説明画面６３を表示部３２に表示する。
株価詳細画面説明画面６３の中には、株価詳細画面１０１（第９図参照）の説明が表示されている。また、この株価詳細画面１０１の説明の下側には、次の説明に移行するための「次の説明へ」ボタン６３Ａと、第４図のＸサービスメニュー画面６１へ戻るための「戻る」ボタン６３Ｂとが設けられている。さらに、株価詳細画面説明画面６３の最下部には、第４図のＴＯＰ画面６０に戻るための「ＴＯＰ画面へ」ボタン６３Ｃが設けられている。
同様に、株価情報閲覧者が、第４図のＸサービスメニュー画面６１において「株価チャート」ボタン６１Ｃを押すか、または第５図の株価詳細画面説明画面６３において「次の説明へ」ボタン６３Ａを押すと、この要求信号を受信した株価情報提供用サーバ２０が、説明事項データ記憶手段２４に記憶された説明事項データである株価チャート説明画面情報を、説明事項データ送信手段２１により携帯電話機３０に送信する（第３図のステップＳ６）。すると、携帯電話機３０は、この信号を受信し、第５図の中央に示すような株価チャート説明画面６４を表示部３２に表示する。
株価チャート説明画面６４の中には、株価チャート画面である日足チャート画面１０２、週足チャート画面１０３、月足チャート画面１０４（第９図参照）の説明が表示されている。そして、これらの株価チャート画面１０２，１０３，１０４の説明の中には、株価チャートの詳細な説明に移行するための「こちら」ボタン６４Ａが設けられている。また、株価チャート画面１０２，１０３，１０４の説明の下側には、次の説明に移行するための「次の説明へ」ボタン６４Ｂと、第４図のＸサービスメニュー画面６１へ戻るための「戻る」ボタン６４Ｃとが設けられている。さらに、株価チャート説明画面６４の最下部には、第４図のＴＯＰ画面６０に戻るための「ＴＯＰ画面へ」ボタン６４Ｄが設けられている。
ここで、株価情報閲覧者が、株価チャート説明画面６４の中の「こちら」ボタン６４Ａを押すと、この要求信号を受信した株価情報提供用サーバ２０が、説明事項データ記憶手段２４に記憶された説明事項データであるチャート詳細説明画面情報を、説明事項データ送信手段２１により携帯電話機３０に送信する（第３図のステップＳ６）。すると、携帯電話機３０は、この信号を受信し、第５図の右側部分に示すようなチャート詳細説明画面６５を表示部３２に表示する。
チャート詳細説明画面６５の中には、日足チャート画面１０２、週足チャート画面１０３、月足チャート画面１０４（第９図参照）の各中段に表示されるチャート部分の詳細な説明が表示されている。この説明では、チャートに表示される各項目６５Ａ（ローソク足（陽線）、ローソク足（陰線）、出来高、買気配、売気配、出来ず、売買停止、権利落ち、２種類の移動平均線）が列記されるとともに、これらの各項目６５Ａを示す各絵柄６５Ｂが、各項目６５Ａの左側の対応する位置に描かれている。なお、各絵柄６５Ｂは、例えば、グラフィクス・インターチェンジ・フォーマット（ＧＩＦ）形式の画像等として用意され、画面６５の中に表示されるが、第５図では、図示を省略し、□で記載されている。また、これらの各項目６５Ａおよび各絵柄６５Ｂの対比説明の下側には、第５図の株価チャート説明画面６４へ戻るための「戻る」ボタン６５Ｃが設けられている。さらに、チャート詳細説明画面６５の最下部には、第４図のＴＯＰ画面６０に戻るための「ＴＯＰ画面へ」ボタン６５Ｄが設けられている。
また、株価情報閲覧者が、第４図のＸサービスメニュー画面６１において「銘柄登録」ボタン６１Ｄを押すか、または第５図の株価チャート説明画面６４において「次の説明へ」ボタン６４Ｂを押すと、この要求信号を受信した株価情報提供用サーバ２０が、説明事項データ記憶手段２４に記憶された説明事項データである銘柄登録説明画面情報を、説明事項データ送信手段２１により携帯電話機３０に送信する（第３図のステップＳ６）。すると、携帯電話機３０は、この信号を受信し、第６図の左側部分に示すような銘柄登録説明画面６６を表示部３２に表示する。
銘柄登録説明画面６６の中には、銘柄登録（第７図参照）の説明が表示されている。また、この銘柄登録の説明の下側には、次の説明に移行するための「次の説明へ」ボタン６６Ａと、第４図のＸサービスメニュー画面６１へ戻るための「戻る」ボタン６６Ｂとが設けられている。さらに、銘柄登録説明画面６６の最下部には、第４図のＴＯＰ画面６０に戻るための「ＴＯＰ画面へ」ボタン６６Ｃが設けられている。
また、株価情報閲覧者が、第４図のＸサービスメニュー画面６１において「銘柄削除」ボタン６１Ｅを押すか、または第６図の銘柄登録説明画面６６において「次の説明へ」ボタン６６Ａを押すと、この要求信号を受信した株価情報提供用サーバ２０が、説明事項データ記憶手段２４に記憶された説明事項データである銘柄削除説明画面情報を、説明事項データ送信手段２１により携帯電話機３０に送信する（第３図のステップＳ６）。すると、携帯電話機３０は、この信号を受信し、第６図の中央に示すような銘柄削除説明画面６７を表示部３２に表示する。
銘柄削除説明画面６７の中には、銘柄削除（第１０図参照）の説明が表示されている。また、この銘柄削除の説明の下側には、次の説明に移行するための「次の説明へ」ボタン６７Ａと、第４図のＸサービスメニュー画面６１へ戻るための「戻る」ボタン６７Ｂとが設けられている。さらに、銘柄削除説明画面６７の最下部には、第４図のＴＯＰ画面６０に戻るための「ＴＯＰ画面へ」ボタン６７Ｃが設けられている。
また、株価情報閲覧者が、第４図のＸサービスメニュー画面６１において「タイマー設定」ボタン６１Ｆを押すか、または第６図の銘柄削除説明画面６７において「次の説明へ」ボタン６７Ａを押すと、この要求信号を受信した株価情報提供用サーバ２０が、説明事項データ記憶手段２４に記憶された説明事項データであるタイマー設定説明画面情報を、説明事項データ送信手段２１により携帯電話機３０に送信する（第３図のステップＳ６）。すると、携帯電話機３０は、この信号を受信し、第６図の右側部分に示すようなタイマー設定説明画面６８を表示部３２に表示する。
タイマー設定説明画面６８の中には、タイマー設定（第８図参照）の説明が表示されている。また、このタイマー設定の説明の下側には、第４図のＸサービスメニュー画面６１へ戻るための「戻る」ボタン６８Ａが設けられている。さらに、タイマー設定説明画面６８の最下部には、第４図のＴＯＰ画面６０に戻るための「ＴＯＰ画面へ」ボタン６８Ｂが設けられている。
そして、株価情報閲覧者は、第４図のＸサービスメニュー画面６１の中の携帯電話機搭載用プログラム「Ａ証券チャート」の仕様説明を読み終えるとともに、第４図〜第６図の各画面６２〜６８の中の各機能の説明を読み終えた後（但し、各機能の説明は、後で必要に応じて読んでもよい。）、Ｘサービスメニュー画面６１において「Ａ証券チャート」ダウンロードボタン６１Ｇを押す。すると、この要求信号を受信した株価情報提供用サーバ２０は、説明事項データ記憶手段２４に記憶された説明事項データである免責事項説明画面情報を、説明事項データ送信手段２１により携帯電話機３０に送信する（第３図のステップＳ６）。そして、携帯電話機３０は、この信号を受信し、第４図の左下部分に示すような免責事項説明画面６９を表示部３２に表示する。
免責事項説明画面６９の中には、株価情報閲覧者に対する株価情報提供者であるＡ証券の免責事項の説明が表示されている。また、この免責事項の説明の下側には、携帯電話機搭載用プログラム「Ａ証券チャート」のダウンロード処理をするための「ダウンロードする」ボタン６９Ａと、ダウンロード処理をしないための「ダウンロードしない」ボタン６９Ｂとが設けられている。さらに、免責事項説明画面６９の最下部には、第４図のＴＯＰ画面６０に戻るための「ＴＯＰ画面へ」ボタン６９Ｃが設けられている。
続いて、株価情報閲覧者は、第４図の免責事項説明画面６９の中の免責事項の説明を読み終えた後、免責事項説明画面６９において「ダウンロードする」ボタン６９Ａを押し、携帯電話機搭載用プログラム「Ａ証券チャート」のダウンロード処理を開始する（第３図のステップＳ７）。すると、株価情報提供用サーバ２０は、この要求信号を受信し、供給用プログラム記憶手段２５に記憶された携帯電話機搭載用プログラム「Ａ証券チャート」を、プログラム送信手段２２により携帯電話機３０に送信する（ステップＳ８）。
そして、携帯電話機３０では、株価情報提供用サーバ２０からダウンロードして取得した携帯電話機搭載用プログラム「Ａ証券チャート」が、取得プログラム記憶手段５０に記憶保存される。このようなダウンロード処理は、最初に１回だけ行えばよいが、株価情報提供用サーバ２０に新しいバージョンのプログラムが用意された場合には、改めて同様なプログラムのダウンロード処理を行う。なお、新しいバージョンのプログラムが用意されているにもかかわらず、古いバージョンのプログラムにより株価情報提供用サーバ２０から株価情報を取得しようとすると、株価情報提供用サーバ２０は、この要求を拒否し、株価情報閲覧者に対して新しいバージョンのプログラムのダウンロード処理を行うよう指示する情報を送信するようにしてもよい。また、新しいバージョンのプログラムが用意された場合には、例えば、株価情報閲覧者が、第４図のＴＯＰ画面６０に設けられた「お知らせ」ボタン６０Ｃを押すことにより、その更新情報を株価情報提供用サーバ２０から取得できるようにしておくことが好ましい。
その後、株価情報閲覧者は、取得した携帯電話機搭載用プログラム「Ａ証券チャート」を携帯電話機３０上で立ち上げ、第７図の左上部分に示すような「Ａ証券チャート」のメニュー画面７０を表示部３２に表示する。このメニュー画面７０には、株価一覧画面１００や株価詳細画面１０１や株価チャート画面１０２，１０３，１０４（第９図参照）へ移行するための「Ａ証券株価ボード」選択部７１と、銘柄登録処理（第７図参照）を行うための「銘柄登録」選択部７２と、銘柄削除処理（第１０図参照）を行うための「銘柄削除」選択部７３と、タイマー設定処理（第８図参照）を行うための「タイマー設定」選択部７４と、プログラム「Ａ証券チャート」を終了させるための「終了」ボタン７５とが設けられている。
株価情報閲覧者は、先ず、メニュー画面７０を参照しながら、携帯電話機３０の移動操作ボタン３５を操作することにより、画面７０上で選択指示位置（例えば、色付け表示、枠囲い表示、反転表示、点滅表示等によるフォーカス位置）を上下させて「銘柄登録」選択部７２の位置に合わせておき、この状態で決定ボタン３４を押し、銘柄登録手段４１による銘柄登録処理を開始する（第３図のステップＳ９）。すると、携帯電話機搭載用プログラム「Ａ証券チャート」により、第７図の中央上側部分に示すような銘柄登録用の入力画面８０が表示部３２に表示される。この入力画面８０には、銘柄コード入力部８０Ａと、市場選択部８０Ｂと、メニュー画面７０へ戻る「メニュー」ボタン８０Ｃと、入力した銘柄コードおよび選択した市場を決定する「決定」ボタン８０Ｄと、既に登録されて登録銘柄記憶手段５１に記憶保存されている銘柄の件数を表示する登録済件数表示部８０Ｅとが設けられている。
続いて、株価情報閲覧者は、操作部３３の各入力操作キーを操作し、閲覧したい銘柄についての銘柄コードを銘柄コード入力部８０Ａに入力するとともに、市場選択部８０Ｂをプルダウンして第７図の右上部分に示すようなプルダウンメニュー８１を入力画面８０上に表示し、このメニュー８１を参照しながら、移動操作ボタン３５および決定ボタン３４を操作してメニュー８１上で市場を選択する。市場には、例えば、「東証」、「大証」、「名証」、「ＮＪ」、「店頭」等があるが、ここでは、「大証」を選択するものとする。すると、第７図の左下部分に示すように、入力画面８０の銘柄コード入力部８０Ａには、入力した銘柄コード（ここでは、「ＸＸＸＸＸ」）が表示され、市場選択部８０Ｂには、選択した市場（ここでは、「大証」）が表示された状態となるので、この状態で入力画面８０の「決定」ボタン８０Ｄを押す。
すると、入力した銘柄コードおよび選択した市場が、携帯電話機３０から株価情報提供用サーバ２０に送信され、株価情報提供用サーバ２０は、この銘柄コード（ここでは、「ＸＸＸＸＸ」）および市場（ここでは、「大証」）に対応する銘柄名（ここでは、「Ｂ会社」）を携帯電話機３０に返信する（第３図のステップＳ１０）。なお、銘柄コード入力部８０Ａに銘柄名を入力すると、株価情報提供用サーバ２０から銘柄コードが返信されるようにしておいてもよい。
携帯電話機３０では、銘柄名を受信すると、プログラム「Ａ証券チャート」により、第７図の中央下側部分に示すような銘柄登録用の確認画面８２が表示部３２に表示される。この確認画面８２には、入力した銘柄についての市場、銘柄コード、銘柄名が表示されるとともに、この表示された銘柄を登録するか否かの確認を行う文章が表示されている。また、確認画面８２の最下部には、表示された銘柄を登録するための「ＹＥＳ」ボタン８２Ａと、登録しないための「ＮＯ」ボタン８２Ｂとが設けられている。
ここで、「ＹＥＳ」ボタン８２Ａを押すと、入力した銘柄についての市場、銘柄コード、銘柄名が一組になって登録銘柄記憶手段５１に記憶保存されて登録される。この際、登録した銘柄が２０件目であった場合には、プログラム「Ａ証券チャート」により、第７図の右下部分に示すような登録不可エラー画面８３が表示部３２に表示され、これ以上登録することができない旨の文章が表示されるので、画面８３の最下部に設けられた「メニュー」ボタン８３Ａを押してメニュー画面７０に戻る。また、登録した銘柄が１〜１９件目であった場合には、再び、入力画面８０に戻り、別の銘柄の登録処理を行うことができるが、このときの入力画面８０上の登録済件数表示部８０Ｅに表示される件数は、更新されて１件分増加した数値となっており、また、銘柄コード入力部８０Ａは、初期化されて空欄状態となっている。そして、別の銘柄の登録処理を行わない場合には、入力画面８０の「メニュー」ボタン８０Ｃを押してメニュー画面７０に戻る。
一方、「ＮＯ」ボタン８２Ｂを押すと、入力した銘柄を登録銘柄記憶手段５１に記憶保存せずに、入力画面８０に戻り、再び、銘柄コードの入力および市場選択を行うことができる。
また、入力画面８０上の銘柄コード入力部８０Ａで入力した銘柄について、該当銘柄がなかった場合には、株価情報提供用サーバ２０から、その旨の情報が返信され、プログラム「Ａ証券チャート」により、図示されない該当なしエラー画面が表示部３２に表示され、この画面上で「該当する銘柄がありません。ご確認ください。」という文章が表示される。
さらに、入力画面８０上の銘柄コード入力部８０Ａで入力した銘柄コードが不適切であった場合には、プログラム「Ａ証券チャート」により、図示されない入力エラー画面が表示部３２に表示され、この画面上で「銘柄コードは４桁か５桁で入力してください。」という文章が表示される。
株価情報閲覧者は、以上の銘柄登録処理を完了した後、第８図の左側部分に示すように、メニュー画面７０を参照しながら、携帯電話機３０の移動操作ボタン３５を操作することにより、画面７０上で選択指示位置を上下させて「タイマー設定」選択部７４の位置に合わせておき、この状態で決定ボタン３４を押し、タイマー設定手段４７によるタイマー設定処理を開始する（第３図のステップＳ１１）。すると、携帯電話機搭載用プログラム「Ａ証券チャート」により、第８図の右側部分に示すようなタイマー設定画面９０が表示部３２に表示される。
タイマー設定画面９０には、株価一覧画面１００や株価詳細画面１０１（第９図参照）で表示するデータを自動更新する時間間隔を選択するための「更新なし」選択部９１、「５分」選択部９２、「１０分」選択部９３、「３０分」選択部９４、「６０分」選択部９５が設けられている。また、タイマー設定画面９０の最下部には、メニュー画面７０へ戻る「メニュー」ボタン９６と、画面９０上で選択指示されている時間間隔を確定させる「決定」ボタン９７とが設けられている。
株価情報閲覧者は、タイマー設定画面９０を参照しながら、携帯電話機３０の移動操作ボタン３５を操作して各選択部９１〜９５のいずれかを選択指示した後（図示の状態では、「５分」選択部９２が選択指示されている。）、この状態で「決定」ボタン９７を押してこれを確定させる。そして、このようにして設定されたタイマー間隔は、プログラム「Ａ証券チャート」により、タイマー間隔記憶手段５２に記憶保存される。その後、「メニュー」ボタン９６を押してメニュー画面７０に戻る。
また、ここで設定されるタイマー間隔は、携帯電話機搭載用プログラム「Ａ証券チャート」が立ち上がっている状態での時間間隔であり、株価情報閲覧者によりプログラムが立ち上げられていない限り、自動更新は行われない。なお、設定したタイマー間隔でプログラムが自動的に立ち上がり、株価情報提供用サーバ２０から最新の株価情報データを取得して自動更新を行うようにしてもよい。
株価情報閲覧者は、以上のタイマー設定処理を完了した後、第９図の左上部分に示すように、メニュー画面７０を参照しながら、携帯電話機３０の移動操作ボタン３５を操作することにより、画面７０上で選択指示位置を上下させて「Ａ証券株価ボード」選択部７１の位置に合わせておき、この状態で決定ボタン３４を押し、株価一覧画面１００の表示処理を開始する（第３図のステップＳ１２）。
すると、先ず、株価情報データ取得手段４３により、登録銘柄記憶手段５１に記憶された登録済の各銘柄（２０件まで登録可能）についての銘柄コードが読み込まれ、これらの銘柄コードが、株価情報データの要求信号として携帯電話機３０から株価情報提供用サーバ２０に送信される。そして、この要求信号を受信した株価情報提供用サーバ２０は、株価情報データ記憶手段２６に記憶された株価情報データを、株価情報データ送信手段２３により携帯電話機３０に送信し（第３図のステップＳ１３）、携帯電話機３０では、株価情報データ取得手段４３により、株価情報提供用サーバ２０から送られてくる株価情報データを受信して取得する。この際、株価情報データ取得手段４３により取得される株価情報データは、登録銘柄記憶手段５１に記憶された登録済の各銘柄についての現在値（市場から２０分遅れの取引値若しくは取引終了後の終値）、前日比、データ時刻である。
次に、株価情報データ取得手段４３により取得された株価情報データに基づき、株価一覧画面生成手段４４により、第９図の中央上側部分に示すような株価一覧画面１００が生成されて表示部３２に表示される。この株価一覧画面１００には、登録銘柄記憶手段５１に記憶された登録済の各銘柄（最大２０件）について、市場、銘柄コード、銘柄名、現在値（市場から２０分遅れの取引値若しくは取引終了後の終値）、前日比、データ時刻が一覧表示される。例えば、各銘柄について、上段に「東ＹＹＹＹＹ  Ｃ会社」、下段に「１１７４↓０９：００」等の表示が行われ、これらの上段および下段の表示を一組（一つの銘柄分の表示）とし、最大２０銘柄分のデータが上下に並べて表示される。
ここで、前日比を示す矢印は、上昇が例えば赤色、下落が例えば青色で表示される。また、携帯電話機３０の移動操作ボタン３５を操作することにより、銘柄単位で上下にスクロールできるようになっている。すなわち、フォーカス位置（例えば、背景色が水色になっている位置等）が株価一覧画面１００上で上下するとともに、フォーカス位置が画面１００の上下端部に達したときには、銘柄表示が全体的に上下にスクロールする。
そして、株価一覧画面１００のデータ表示は、タイマー間隔記憶手段５２に記憶されたタイマー間隔に基づき自動更新される。この自動更新の際には、株価情報データ取得手段４３により株価情報提供用サーバ２０から最新の株価情報データが取得され、その最新のデータに基づき株価一覧画面生成手段４４により株価一覧画面１００が生成されるという処理が繰り返される。また、自動更新により数値が変化した箇所は、色を反転等させる。さらに、携帯電話機３０の決定ボタン３４を押すと、手動で更新できるようになっている。
また、株価一覧画面１００の最下部には、メニュー画面７０へ戻る「メニュー」ボタン１００Ａと、株価詳細画面１０１へ移行するための「詳細」ボタン１００Ｂとが設けられている。
そして、株価情報閲覧者が株価一覧画面１００において「詳細」ボタン１００Ｂを押すと、画面１００上で選択指示されている銘柄（フォーカス位置に該当する銘柄）についての株価詳細画面１０１の表示処理が開始される（第３図のステップＳ１４）。
すなわち、先ず、株価情報データ取得手段４３により、株価一覧画面１００上で選択指示されている銘柄（ここでは、「Ｃ会社」）についての銘柄コード（ここでは、「ＹＹＹＹＹ」）が、株価情報データの要求信号として携帯電話機３０から株価情報提供用サーバ２０に送信される。そして、この要求信号を受信した株価情報提供用サーバ２０は、株価情報データ記憶手段２６に記憶された株価情報データを、株価情報データ送信手段２３により携帯電話機３０に送信し（第３図のステップＳ１５）、携帯電話機３０では、株価情報データ取得手段４３により、株価情報提供用サーバ２０から送られてくる株価情報データを受信して取得する。この際、株価情報データ取得手段４３により取得される株価情報データは、株価一覧画面１００上で選択指示されている銘柄についてのデータ日時、取引値（市場から２０分遅れの取引値若しくは取引終了後の終値）、前日比、始値、高値、安値、出来高である。
次に、株価情報データ取得手段４３により取得された株価情報データに基づき、株価詳細画面生成手段４５により、第９図の右上部分に示すような株価詳細画面１０１が生成されて表示部３２に表示される。この株価詳細画面１０１には、株価一覧画面１００上で選択された銘柄について、市場、銘柄コード、銘柄名、データ日時、取引値（市場から２０分遅れの取引値若しくは取引終了後の終値）、前日比、始値、高値、安値、出来高が詳細表示される。例えば、画面上側から、「東ＹＹＹＹＹ  Ｃ会社」、「０７／１８  ０９：０１現在」、「取引値：１１７２」、「前日比：−２」、「始値：１１７５」、「高値：１１７８」、「安値：１１６９」、「出来高：４３１千株」等の表示が行われる。
ここで、前日比の数値は、プラスが例えば赤色、マイナスが例えば青色、ゼロが例えば黒色で表示される。また、携帯電話機３０の移動操作ボタン３５で上下移動の操作をすると、１行単位で上下にスクロールし、移動操作ボタン３５で左右移動の操作をすると、銘柄が入れ替わるようになっている。
そして、株価詳細画面１０１のデータ表示は、株価一覧画面１００のデータ表示の場合と同様に、タイマー間隔記憶手段５２に記憶されたタイマー間隔に基づき自動更新される。この自動更新の際には、株価情報データ取得手段４３により株価情報提供用サーバ２０から最新の株価情報データが取得され、その最新のデータに基づき株価詳細画面生成手段４５により株価詳細画面１０１が生成されるという処理が繰り返される。また、自動更新により数値が変化した箇所は、色を反転等させる。さらに、携帯電話機３０の決定ボタン３４を押すと、手動で更新できるようになっている。
また、株価詳細画面１０１の最下部には、株価一覧画面１００に戻るための「一覧」ボタン１０１Ａと、日足チャート画面１０２へ移行するための「日足」ボタン１０１Ｂとが設けられている。
そして、株価情報閲覧者が株価詳細画面１０１において「日足」ボタン１０１Ｂを押すと、画面１０１で表示されている銘柄、つまり株価一覧画面１００上で選択された銘柄についての株価チャート画面である日足チャート画面１０２の表示処理が開始される（第３図のステップＳ１６）。
すなわち、先ず、株価情報データ取得手段４３により、株価詳細画面１０１で表示されている銘柄（ここでは、「Ｃ会社」）についての銘柄コード（ここでは、「ＹＹＹＹＹ」）およびチャート種類（ここでは、日足）が、株価情報データの要求信号として携帯電話機３０から株価情報提供用サーバ２０に送信される。そして、この要求信号を受信した株価情報提供用サーバ２０は、株価情報データ記憶手段２６に記憶された株価情報データを、株価情報データ送信手段２３により携帯電話機３０に送信し（第３図のステップＳ１７）、携帯電話機３０では、株価情報データ取得手段４３により、株価情報提供用サーバ２０から送られてくる株価情報データを受信して取得する。この際、株価情報データ取得手段４３により取得される株価情報データは、株価詳細画面１０１で表示されている銘柄についての前日までの２９日分のデータであり、それぞれの日のデータは、データ日付、出来高、始値、高値、安値、終値、２種類の移動平均（過去５週の平均、過去１３週の平均）である。
次に、株価情報データ取得手段４３により取得された株価情報データに基づき、株価チャート生成手段４６により、第９図の左下部分に示すような株価チャート画面である日足チャート画面１０２が生成されて表示部３２に表示される。この日足チャート画面１０２の上段には、銘柄表示生成部４６Ａにより生成された市場、銘柄コード、銘柄名の表示、例えば「東ＹＹＹＹＹ  Ｃ会社」の如き表示が行われる。
また、日足チャート画面１０２の中段には、株価チャートである日足チャート１０２Ａが表示される。そして、日足チャート１０２Ａの下側には、日足チャート１０２Ａの左右端部の日に相当する最初の日および最後の日が、例えば「０６／０７  日足  ０７／１７」の如く表示される。日足チャート１０２Ａは、ローソク足生成部４６Ｂにより生成された各日の４本値（始値、高値、安値、終値）をまとめて表示するローソク足（陽線、陰線）１０２Ｂと、出来高棒グラフ生成部４６Ｃにより生成された各日の出来高を示す出来高棒グラフ１０２Ｃと、移動平均線生成部４６Ｄにより生成された２種類の移動平均線１０２Ｄ，１０２Ｅとを備えて構成されている。各移動平均線１０２Ｄ，１０２Ｅは、異なる色で表示され、一方の移動平均線１０２Ｄは、５週（２５日）の移動平均線であり、他方の移動平均線１０２Ｅは、１３週（６５日）の移動平均線である。
また、日足チャート１０２Ａには、スライドバー生成部４６Ｅにより生成されて日足チャート１０２Ａ上を左右に移動するスライドバー１０２Ｆが、例えば白い線等で表示される。スライドバー１０２Ｆが指す日は、携帯電話機３０の移動操作ボタン３５で左右移動の操作をすることにより、変更することができる。さらに、日足チャート１０２Ａには、図示されない権利落ちマーク、売気配マーク、買気配マーク、出来ずマーク、売買停止マークが表示される。
また、日足チャート画面１０２の下段には、数値表示生成部４６Ｆにより生成されたデータ日付、出来高、４本値（始値、高値、安値、終値）の数値表示やテキスト表示が行われる。例えば、「０７／０２  １０４２千株  始１２９０  高１２９９  安１２６９  終１２７０」の如き表示である。これらの数値表示データやテキスト表示データは、日足チャート１０２Ａ上でスライドバー１０２Ｆが指している日のデータである。
さらに、日足チャート画面１０２の最下部には、株価詳細画面１０１に戻るための「詳細」ボタン１０２Ｇと、週足チャート画面１０３へ移行するための「週足」ボタン１０２Ｈとが設けられている。
そして、株価情報閲覧者が日足チャート画面１０２において「週足」ボタン１０２Ｈを押すと、画面１０２で表示されている銘柄、つまり株価一覧画面１００上で選択された銘柄についての株価チャート画面である週足チャート画面１０３の表示処理が開始される（第３図のステップＳ１６：なお、第３図のステップＳ１６，Ｓ１７の図示は簡略化され、複数回の信号の送受信がまとめて記載されている）。
すなわち、先ず、株価情報データ取得手段４３により、日足チャート画面１０２で表示されている銘柄（ここでは、「Ｃ会社」）についての銘柄コード（ここでは、「ＹＹＹＹＹ」）およびチャート種類（ここでは、週足）が、株価情報データの要求信号として携帯電話機３０から株価情報提供用サーバ２０に送信される。そして、この要求信号を受信した株価情報提供用サーバ２０は、株価情報データ記憶手段２６に記憶された株価情報データを、株価情報データ送信手段２３により携帯電話機３０に送信し（第３図のステップＳ１７）、携帯電話機３０では、株価情報データ取得手段４３により、株価情報提供用サーバ２０から送られてくる株価情報データを受信して取得する。この際、株価情報データ取得手段４３により取得される株価情報データは、日足チャート画面１０２で表示されている銘柄についての前週までの２９週分のデータであり、それぞれの週のデータは、データ日付（各週の最終の取引日）、出来高（１週間の出来高の平均）、始値（１週間の始めの値）、高値（１週間で一番高い値）、安値（１週間で一番安い値）、終値（１週間の終わりの値）、２種類の移動平均（過去１３週の平均、過去２６週の平均）である。
次に、株価情報データ取得手段４３により取得された株価情報データに基づき、株価チャート生成手段４６により、第９図の中央下側部分に示すような株価チャート画面である週足チャート画面１０３が生成されて表示部３２に表示される。この週足チャート画面１０３の上段には、銘柄表示生成部４６Ａにより生成された市場、銘柄コード、銘柄名の表示、例えば「東ＹＹＹＹＹ  Ｃ会社」の如き表示が行われる。
また、週足チャート画面１０３の中段には、株価チャートである週足チャート１０３Ａが表示される。そして、週足チャート１０３Ａの下側には、週足チャート１０３Ａの左右端部の週に相当する最初の週（その週の最終の取引日）および最後の週（その週の最終の取引日）が、例えば「１２／２９  週足  ０７／１３」の如く表示される。週足チャート１０３Ａは、ローソク足生成部４６Ｂにより生成された各週の４本値（始値、高値、安値、終値）をまとめて表示するローソク足（陽線、陰線）１０３Ｂと、出来高棒グラフ生成部４６Ｃにより生成された各週の出来高を示す出来高棒グラフ１０３Ｃと、移動平均線生成部４６Ｄにより生成された２種類の移動平均線１０３Ｄ，１０３Ｅとを備えて構成されている。各移動平均線１０３Ｄ，１０３Ｅは、異なる色で表示され、一方の移動平均線１０３Ｄは、１３週の移動平均線であり、他方の移動平均線１０３Ｅは、２６週の移動平均線である。
さらに、週足チャート１０３Ａには、スライドバー生成部４６Ｅにより生成されて週足チャート１０３Ａ上を左右に移動するスライドバー１０３Ｆが、例えば白い線等で表示される。スライドバー１０３Ｆが指す週は、携帯電話機３０の移動操作ボタン３５で左右移動の操作をすることにより、変更することができる。また、週足チャート１０３Ａには、図示されない権利落ちマーク、売気配マーク、買気配マーク、出来ずマーク、売買停止マークが表示される。
また、週足チャート画面１０３の下段には、数値表示生成部４６Ｆにより生成されたデータ日付（その週の最終の取引日）、出来高（その１週間の出来高の平均）、４本値（始値（その１週間の始めの値）、高値（その１週間で一番高い値）、安値（その１週間で一番安い値）、終値（その１週間の終わりの値））の数値表示やテキスト表示が行われる。例えば、「０６／０１  ２８４６千株  始１３６３  高１３８５  安１２９５  終１３８４」の如き表示である。これらの数値表示データやテキスト表示データは、週足チャート１０３Ａ上でスライドバー１０３Ｆが指している週のデータである。
さらに、週足チャート画面１０３の最下部には、株価詳細画面１０１に戻るための「詳細」ボタン１０３Ｇと、月足チャート画面１０４へ移行するための「月足」ボタン１０３Ｈとが設けられている。
そして、株価情報閲覧者が週足チャート画面１０３において「月足」ボタン１０３Ｈを押すと、画面１０３で表示されている銘柄、つまり株価一覧画面１００上で選択された銘柄についての株価チャート画面である月足チャート画面１０４の表示処理が開始される（第３図のステップＳ１６）。
すなわち、先ず、株価情報データ取得手段４３により、週足チャート画面１０３で表示されている銘柄（ここでは、「Ｃ会社」）についての銘柄コード（ここでは、「ＹＹＹＹＹ」）およびチャート種類（ここでは、月足）が、株価情報データの要求信号として携帯電話機３０から株価情報提供用サーバ２０に送信される。そして、この要求信号を受信した株価情報提供用サーバ２０は、株価情報データ記憶手段２６に記憶された株価情報データを、株価情報データ送信手段２３により携帯電話機３０に送信し（第３図のステップＳ１７）、携帯電話機３０では、株価情報データ取得手段４３により、株価情報提供用サーバ２０から送られてくる株価情報データを受信して取得する。この際、株価情報データ取得手段４３により取得される株価情報データは、週足チャート画面１０３で表示されている銘柄についての前月までの２９ヶ月分のデータであり、それぞれの月のデータは、データ年月、出来高（１ヶ月の出来高の平均）、始値（１ヶ月の始めの値）、高値（１ヶ月で一番高い値）、安値（１ヶ月で一番安い値）、終値（１ヶ月の終わりの値）である。なお、移動平均のデータはない。
次に、株価情報データ取得手段４３により取得された株価情報データに基づき、株価チャート生成手段４６により、第９図の右下部分に示すような株価チャート画面である月足チャート画面１０４が生成されて表示部３２に表示される。この月足チャート画面１０４の上段には、銘柄表示生成部４６Ａにより生成された市場、銘柄コード、銘柄名の表示、例えば「東ＹＹＹＹＹ  Ｃ会社」の如き表示が行われる。
また、月足チャート画面１０４の中段には、株価チャートである月足チャート１０４Ａが表示される。そして、月足チャート１０４Ａの下側には、月足チャート１０４Ａの左右端部の月に相当する最初の月および最後の月が、例えば「’９９／０２  月足  ’０１／０６」の如く表示される。月足チャート１０４Ａは、ローソク足生成部４６Ｂにより生成された各月の４本値（始値、高値、安値、終値）をまとめて表示するローソク足（陽線、陰線）１０４Ｂと、出来高棒グラフ生成部４６Ｃにより生成された各月の出来高を示す出来高棒グラフ１０４Ｃとを備えて構成されている。なお、移動平均線は表示されない。
さらに、月足チャート１０４Ａには、スライドバー生成部４６Ｅにより生成されて月足チャート１０４Ａ上を左右に移動するスライドバー１０４Ｆが、例えば白い線等で表示される。スライドバー１０４Ｆが指す月は、携帯電話機３０の移動操作ボタン３５で左右移動の操作をすることにより、変更することができる。また、月足チャート１０４Ａには、図示されない権利落ちマーク、売気配マーク、買気配マーク、出来ずマーク、売買停止マークが表示される。
また、月足チャート画面１０４の下段には、数値表示生成部４６Ｆにより生成されたデータ年月、出来高（その１ヶ月の出来高の平均）、４本値（始値（その１ヶ月の始めの値）、高値（その１ヶ月で一番高い値）、安値（その１ヶ月で一番安い値）、終値（その１ヶ月の終わりの値））の数値表示やテキスト表示が行われる。例えば、「’００／１２  ２９１８千株  始１１２５  高１２９３  安１０６７  終１１９３」の如き表示である。これらの数値表示データやテキスト表示データは、月足チャート１０４Ａ上でスライドバー１０４Ｆが指している月のデータである。
さらに、月足チャート画面１０４の最下部には、株価詳細画面１０１に戻るための「詳細」ボタン１０４Ｇと、日足チャート画面１０２に戻るための「日足」ボタン１０４Ｈとが設けられている。従って、日足チャート画面１０２、週足チャート画面１０３、月足チャート画面１０４の順に、ループできるようになっている。
株価情報閲覧者は、以上の各処理により、登録した銘柄についての株価情報を取得して閲覧できるが、その銘柄の株価情報を閲覧する必要がなくなった場合（第９図の株価一覧画面１００に表示する必要がなくなった場合）には、その銘柄の登録を適宜削除する。すなわち、第１０図の左上部分に示すように、メニュー画面７０を参照しながら、携帯電話機３０の移動操作ボタン３５を操作することにより、画面７０上で選択指示位置を上下させて「銘柄削除」選択部７３の位置に合わせておき、この状態で決定ボタン３４を押し、銘柄削除手段４２による銘柄削除処理を開始する（第３図のステップＳ１８）。すると、携帯電話機搭載用プログラム「Ａ証券チャート」により、第１０図の中央上側部分に示すような銘柄削除用の選択画面１１０が表示部３２に表示される。
選択画面１１０には、「削除したい銘柄を選択してください。」という文章が表示され、この表示の下側に、削除銘柄選択部１１０Ａが設けられている。また、選択画面１１０の最下部には、メニュー画面７０へ戻る「メニュー」ボタン１１０Ｂと、選択した削除銘柄を決定する「決定」ボタン１１０Ｃとが設けられている。なお、登録銘柄記憶手段５１に記憶されて登録されている銘柄の件数が０件の場合には、プログラム「Ａ証券チャート」により、図示されない未登録エラー画面が表示部３２に表示され、この画面上で「銘柄が未登録です。」という文章が表示される。
続いて、株価情報閲覧者は、削除銘柄選択部１１０Ａをプルダウンして第１０図の右上部分に示すようなプルダウンメニュー１１１を選択画面１１０上に表示し、このメニュー１１１を参照しながら、移動操作ボタン３５および決定ボタン３４を操作してメニュー１１１上で削除する銘柄を選択する。プルダウンメニュー１１１には、現在、登録銘柄記憶手段５１に記憶されて登録されている全ての銘柄が、削除の対象となる銘柄として一覧表示される。各銘柄については、市場、銘柄コード、銘柄名が、例えば、「東ＹＹＹＹＹ  Ｃ会社」の如く表示される。ここでは、例えば「大ＲＲＲＲＲ  Ｆ会社」を選択するものとする。
すると、第１０図の左下部分に示すように、選択画面１１０の削除銘柄選択部１１０Ａには、選択した削除銘柄（ここでは、「大ＲＲＲＲＲ  Ｆ会社」）が表示された状態となるので、この状態で選択画面１１０の「決定」ボタン１１０Ｃを押す。なお、削除銘柄選択部１１０Ａには、最初（プルダウンする前）は、登録銘柄記憶手段５１に記憶されて登録されている銘柄のうち、先頭の銘柄（ここでは、「東ＹＹＹＹＹ  Ｃ会社」）が表示される。
すると、プログラム「Ａ証券チャート」により、第１０図の中央下側部分に示すような銘柄削除用の確認画面１１２が表示部３２に表示される。この確認画面１１２には、選択した銘柄についての市場、銘柄コード、銘柄名が表示されるとともに、この表示された銘柄を削除するか否かの確認を行う文章が表示されている。また、確認画面１１２の最下部には、表示された銘柄を削除するための「ＹＥＳ」ボタン１１２Ａと、削除しないための「ＮＯ」ボタン１１２Ｂとが設けられている。
ここで、「ＹＥＳ」ボタン１１２Ａを押すと、選択した銘柄が登録銘柄記憶手段５１から削除され、再び、選択画面１１０に戻り、別の銘柄の削除処理を行うことができる。この際、選択画面１１０の削除銘柄選択部１１０Ａには、登録銘柄記憶手段５１に記憶されて登録されている銘柄、従って、削除した銘柄（ここでは、「大ＲＲＲＲＲ  Ｆ会社」）を除く銘柄のうち、先頭の銘柄（ここでは、「東ＹＹＹＹＹ  Ｃ会社」）が表示される。そして、別の銘柄の削除処理を行わない場合には、選択画面１１０の「メニュー」ボタン１１０Ｂを押してメニュー画面７０に戻る。
一方、「ＮＯ」ボタン１１２Ｂを押すと、選択した銘柄を登録銘柄記憶手段５１から削除せずに、選択画面１１０に戻り、再び、削除する銘柄の選択を行うことができる。この際、選択画面１１０の削除銘柄選択部１１０Ａには、前回選択した銘柄（ここでは、「大ＲＲＲＲＲ  Ｆ会社」）がそのまま残る状態で表示される。
最後に、各株価情報閲覧者は、メニュー画面７０で「終了」ボタン７５を押して携帯電話機搭載用プログラム「Ａ証券チャート」を終了させ、また、必要に応じて携帯電話機３０の電源を切ることで、株価情報の取得処理を終了し（第３図のステップＳ１９）、一方、株価情報提供者は、必要に応じて株価情報提供用サーバ２０の電源を切り、管理センター２との接続状態を解除することで、株価情報の提供処理を終了する（第３図のステップＳ２０）。
このような本実施形態によれば、次のような効果がある。すなわち、携帯電話機３０には、株価情報提供用サーバ２０からダウンロードした携帯電話機搭載用プログラム「Ａ証券チャート」等により構成される株価情報データ取得手段４３、株価一覧画面生成手段４４、株価詳細画面生成手段４５、株価チャート生成手段４６が設けられているので、株価情報提供用サーバ２０から株価情報データを取得し、この取得したデータに基づき株価一覧画面１００、株価詳細画面１０１、各株価チャート画面１０２，１０３，１０４を生成して表示部３２に表示することができる。
従って、従来のようにサーバ側で各画面を生成するのではなく、携帯電話機３０上でプログラムを実行することにより、携帯電話機３０側で株価一覧画面１００、株価詳細画面１０１、各株価チャート画面１０２，１０３，１０４を生成することができる。
このため、例えば、各株価チャート１０２Ａ，１０３Ａ，１０４Ａ上で各スライドバー１０２Ｆ，１０３Ｆ，１０４Ｆを左右に移動させる際には、株価情報提供用サーバ２０との通信を行うことなく、表示処理を行うことができる。これにより、スライドバー１０２Ｆ，１０３Ｆ，１０４Ｆの表示処理を容易に実現できるので、株価情報閲覧者に対し、より質の高いサービスを提供することができ、また、携帯電話機３０の使い勝手を向上させることができるうえ、通信が行われないことから、通信料金を低減することもできる。
また、株価一覧画面１００、株価詳細画面１０１、各株価チャート画面１０２，１０３，１０４を切り換えて表示部３２に表示する際には、これらの各画面１００〜１０４を描くための画像情報の全体を株価情報提供用サーバ２０からダウンロードする必要はなく、各画面１００〜１０４の生成に必要なデータだけを株価情報提供用サーバ２０から取得し、その取得したデータに基づき、携帯電話機３０上でプログラムにより各画面１００〜１０４を生成することができる。
そして、これらの各画面１００〜１０４の表示を行うために送受信される株価情報に関するデータ（例えば、４本値、出来高、移動平均等の数値データやテキストデータ）は、各画面１００〜１０４を構成する絵柄（例えば、株価チャート１０２Ａ，１０３Ａ，１０４Ａの絵柄等）を描くための画像情報（イメージデータを含む情報）に比べ、情報量が少ないので、比較的容量の多い携帯電話機搭載用プログラムを最初に一度だけダウンロードすれば、その後は容量の少ないデータを送受信するだけで、各画面１００〜１０４を描くことができる。このため、絵柄を含む画像情報の送受信を繰り返す場合に比べ、通信するパケットの量を減らすことができ、処理時間の短縮や通信料金の低減を図ることができる。
さらに、携帯電話機３０には、取得プログラム記憶手段５０が設けられているので、株価情報提供用サーバ２０からダウンロードした携帯電話機搭載用プログラム「Ａ証券チャート」を記憶保存することができる。このため、株価情報閲覧者は、閲覧の都度にプログラムをダウンロードする必要はなく、最初に一度だけダウンロードすればよくなるので、迅速な閲覧を実現でき、株価情報を取得する際の携帯電話機３０の使い勝手を向上させることができるうえ、通信料金を低減することもできる。
また、株価チャート生成手段４６は、ローソク足生成部４６Ｂを含んで構成されているので、株価情報閲覧者は、第９図のローソク足１０２Ｂ，１０３Ｂ，１０４Ｂの表示を参照することにより、いわゆる４本値（始値、終値、高値、安値）を短時間で把握できる。このため、提供するサービスの質の向上や携帯電話機３０の使い勝手の向上を、より一層図ることができる。
そして、株価チャート生成手段４６は、出来高棒グラフ生成部４６Ｃを含んで構成されているので、株価情報閲覧者は、第９図の出来高棒グラフ１０２Ｃ，１０３Ｃ，１０４Ｃの表示を参照することにより、出来高を短時間で把握できる。このため、提供するサービスの質の向上や携帯電話機３０の使い勝手の向上を、より一層図ることができる。
また、第９図の実施形態では、出来高棒グラフ１０２Ｃとスライドバー１０２Ｆとが交わる箇所の出来高（すなわち出来高棒グラフ１０２Ｃを構成する複数の棒のうちスライドバー１０２Ｆと交わる棒の高さに相当する出来高）が同一画面上で数値で表示され、出来高棒グラフ１０３Ｃとスライドバー１０３Ｆとが交わる箇所の出来高が同一画面上で数値で表示され、出来高棒グラフ１０４Ｃとスライドバー１０４Ｆとが交わる箇所の出来高が同一画面上で数値表示されるので、出来高棒グラフのどの箇所の出来高を数値表示しているかを判りやすくすることができる。
さらに、株価チャート生成手段４６は、移動平均線生成部４６Ｄを含んで構成されているので、株価情報閲覧者は、第９図の移動平均線１０２Ｄ，１０２Ｅ，１０３Ｄ，１０３Ｅの表示を参照することにより、移動平均の推移を短時間で把握できる。このため、提供するサービスの質の向上や携帯電話機３０の使い勝手の向上を、より一層図ることができる。
また、株価チャート生成手段４６は、スライドバー生成部４６Ｅを含んで構成されているので、株価情報閲覧者は、第９図の株価チャート画面１０２，１０３，１０４でスライドバー１０２Ｆ，１０３Ｆ，１０４Ｆを左右に移動させることにより、スライドバー１０２Ｆ，１０３Ｆ，１０４Ｆの指している日、週、または月の詳細情報を容易に把握できる。このため、提供するサービスの質の向上や携帯電話機３０の使い勝手の向上を、より一層図ることができる。
例えば、第９図の実施形態では、株価チャート１０２Ａとスライドバー１０２Ｆとが交わるローソク足の詳細情報（すなわち株価チャート１０２Ａを構成する複数のローソク足のうちスライドバー１０２Ｆと交わるローソク足の詳細情報）が同一画面上で数値で表示され、株価チャート１０３Ａとスライドバー１０３Ｆとが交わるローソク足の詳細情報が同一画面上で数値で表示され、株価チャート１０４Ａとスライドバー１０４Ｆとが交わるローソク足の詳細情報が同一画面上で数値で表示されるので、株価チャートのどの箇所のローソク足の情報を数値表示しているかを判りやすくすることができる。
そして、携帯電話機３０には、画面サイズ認識手段４８が設けられているので、機種毎に定まる表示部３２の画面サイズを認識することができ、この画面サイズ情報に基づき、表示部３２の画面サイズに応じて各画面に描く表示の縦横比や縮尺を変化させて最適化することができる。このため、携帯電話機搭載用プログラム「Ａ証券チャート」は、異なる機種にダウンロードされても、その機種の相違による画面サイズの変化を認識し、その認識した画面サイズに最適な表示処理を行うことができる。具体的には、例えば、株価チャート生成手段４６は、第９図の株価チャート１０２Ａ，１０３Ａ，１０４Ａの縦横比や縮尺を最適化して表示することができる。また、株価チャート１０２Ａ，１０３Ａ，１０４Ａの各構成要素についてみれば、例えば、ローソク足生成部４６Ｂは、ローソク足１０２Ｂ，１０３Ｂ，１０４Ｂの縦横比や縮尺を最適化して表示することができ、出来高棒グラフ生成部４６Ｃは、出来高棒グラフ１０２Ｃ，１０３Ｃ，１０４Ｃの縦横比や縮尺を最適化して表示することができ、移動平均線生成部４６Ｄは、移動平均線１０２Ｄ，１０２Ｅ，１０３Ｄ，１０３Ｅの縦横比や縮尺を最適化して表示することができ、スライドバー生成部４６Ｅは、スライドバー１０２Ｆ，１０３Ｆ，１０４Ｆの線の太さや長さを最適化して表示することができる。さらに、株価一覧画面生成手段４４や株価詳細画面生成手段４５は、第９図の株価一覧画面１００や株価詳細画面１０１における枠部分や数値や文字の各表示の大きさや形状を最適化して表示することができる。
また、画面サイズ認識手段４８により認識した画面サイズに応じ、各画面の生成処理を行うので、携帯電話機３０の機種によっては各画面の表示が表示部３２に収まらずに切れてしまう状態になるという不都合を未然に防止できる。このため、機種の相違による影響を受けずに株価情報を提供できるので、この点でも、提供するサービスの質の向上や携帯電話機３０の使い勝手の向上を、より一層図ることができる。
さらに、携帯電話機３０には、銘柄登録手段４１および登録銘柄記憶手段５１が設けられているので、株価情報閲覧者は、閲覧したい銘柄を携帯電話機３０に登録して保存しておくことができる。このため、株価情報閲覧者は、閲覧の都度に銘柄を入力する必要はなくなるので、この点でも、提供するサービスの質の向上や携帯電話機３０の使い勝手の向上を、より一層図ることができる。
そして、携帯電話機３０には、銘柄削除手段４２が設けられているので、株価情報閲覧者は、既に閲覧の必要のなくなった銘柄の登録を削除することができる。このため、第９図の株価一覧画面１００を参照しやすい状態にできるうえ、株価情報閲覧者のその時々の要求に応えることができるので、この点でも、提供するサービスの質の向上や携帯電話機３０の使い勝手の向上を、より一層図ることができる。
また、携帯電話機３０には、タイマー設定手段４７およびタイマー間隔記憶手段５２が設けられているので、株価情報閲覧者の設定した時間間隔で、閲覧データの自動更新を行うことができる。このため、株価情報閲覧者は、最新のデータを閲覧できるので、この点でも、提供するサービスの質の向上や携帯電話機３０の使い勝手の向上を、より一層図ることができる。
なお、本発明は前記実施形態に限定されるものではなく、本発明の目的を達成できる範囲内での変形等は本発明に含まれるものである。
すなわち、前記実施形態では、株価情報提供用サーバ２０は、第１図に示すように、専用線３で管理センター２に接続されていたが、これに限定されるものではなく、本発明の株価情報提供用サーバは、例えば、インターネットを介して管理センター２に接続されていてもよい。但し、例えばモバイルトレード等の金銭の取扱いが含まれる場合等には、専用線３で接続されていることが好ましい。
また、前記実施形態では、携帯電話機搭載用プログラムは、ＪＡＶＡプログラミング言語で記述され、容量的には、例えば１０キロバイト程度若しくはそれ以下のものであったが、これに限定されるものではなく、記述言語は、ＪＡＶＡ以外のプログラミング言語であってもよく、また、容量的には、通信速度の向上や携帯電話機３０のメモリー容量の増大等に伴い、より大きな容量のプログラムとしてもよい。
さらに、前記実施形態では、登録銘柄記憶手段５１に記憶されて登録される銘柄の件数は、最大で２０件であったが、これに限定されるものではなく、例えば、表示部３２の面積の拡大や携帯電話機３０の機能向上等に伴い、より多くの件数の銘柄を登録できるようにしてもよい。
そして、前記実施形態では、タイマー設定手段４７により設定されるタイマー間隔は、更新なし、５分、１０分、３０分、６０分とされていたが、これに限定されるものではなく、任意の時間間隔としてよい。
また、前記実施形態では、各株価チャート１０２Ａ，１０３Ａ，１０４Ａで表示されるデータは、２９日分、２９週分、２９ヶ月分であったが、これに限定されるものではなく、例えば、表示部３２の面積の拡大や携帯電話機３０の機能向上等に伴い、より多くのデータを表示するようにしてもよい。
そして、前記実施形態では、株価情報データ取得手段４３により、銘柄コードおよびチャート種類（日足、週足、月足の別）が、株価情報データの要求信号として携帯電話機３０から株価情報提供用サーバ２０に送信されるようになっていたが（第３図のステップＳ１６参照）、これらのみならず、画面サイズおよび／またはデータ数（何日分のデータを取得するかという日数、何週分のデータを取得するかという週数、何月分のデータを取得するかという月数）を株価情報データの要求信号として送信してもよい。前者の画面サイズを送信するのは、前述したように表示部３２の画面サイズに応じて各画面に描く表示の縦横比や縮尺（倍率）を変化させて最適化するためである。後者のデータ数を送信するのは、表示部３２の画面サイズ（横方向のサイズ）に応じて各画面に描くデータ数（何日分描くか、何週分描くか、何月分描くか）を調整可能とするためである。例えば、画面サイズ認識手段４８により認識した画面サイズ情報のうちの横方向のサイズが、Ｗピクセルであったとき、ある一つの表示要素（例えば、一つのローソク足等）を描くために横方向にＶピクセル必要であるとすると（このＶピクセル自体を画面サイズに応じて可変としてもよいが、ここではＶピクセルが固定値であるものとする。）、ＷピクセルをＶピクセルで除した値（余りは、切り捨てる。）を、取得するデータ数として株価情報提供用サーバ２０に送信すればよく、このようにすれば携帯電話機３０の機種の相違に対応することができる。
さらに、前記実施形態では、株価一覧画面１００や株価詳細画面１０１（第９図参照）の中には、市場から２０分遅れの取引値が表示されるようになっていたが、これに限定されるものではなく、例えば、２０分よりもさらに遅れた時刻の取引値が表示されるようになっていてもよい。また、例えば、株価情報閲覧者が、株価情報提供者とオンライン・トレードの契約をしている顧客のような特定の者である場合等には、株価情報閲覧者に携帯電話機で、例えば、支店コード（例えば３桁の数値等）や口座番号（例えば６桁の数値等）や暗証番号（例えば４桁の数値等）等の本人特定事項を入力させることにより、本人であることを認証できれば、リアルタイムの取引値を表示する構成としてもよい。
また、前記実施形態では、株価詳細画面１０１（第９図参照）の中には、データ日時、取引値（市場から２０分遅れの取引値若しくは取引終了後の終値）、前日比、始値、高値、安値、出来高が表示されるようになっていたが、これに限定されるものではなく、例えば、上記の如く、支店コードや口座番号や暗証番号等の本人特定事項の入力に基づき認証処理を行う場合には、第９図に図示された表示事項に加え、買気配や売気配の各数値データを表示するようにしてもよい。
そして、前記実施形態では、日足チャート１０２Ａ、週足チャート１０３Ａ、月足チャート１０４Ａがそれぞれ描かれた株価チャート画面１０２，１０３，１０４が表示されるようになっていたが（第９図参照）、これらに加え、あるいはこれらに代えて、日中を一定の時間間隔で区切って得られるデータに基づき生成される日中足チャートが描かれた株価チャート画面を表示するようにしてもよい。なお、日中足チャートは、日足チャート１０２Ａ等と同様にローソク足や出来高棒グラフや移動平均線を含む構成としてもよく、あるいは、そのような完全な構成ではなく、例えば、単なる折れ線グラフだけの表示等としてもよい。
さらに、前記実施形態では、第９図の月足チャート１０４Ａには、移動平均線が表示されていなかったが、月足チャートにも移動平均線を表示する構成としてもよい。
また、前記実施形態では、ローソク足・移動平均線描画区画と出来高棒グラフ描画区画とは、重ならないように配置されていたが、これらの区画を重なるように配置してもよい。但し、見易さの確保等の観点から、前記実施形態のように重ならないように配置することが好ましい。
そして、前記実施形態では、ローソク足・移動平均線描画区画が出来高棒グラフ描画区画の上側に配置されていたが、これらの上下の配置は、逆にしてもよい。但し、見易さの確保や見た目の安定感の確保等の観点から、前記実施形態のような上下配置にすることが好ましい。
産業の利用可能性
以上のように、本発明に係る株価情報提供方法および携帯電話機、並びに携帯電話機搭載用プログラムおよび株価情報提供用サーバは、例えば、通信網を介してＪＡＶＡプログラムを携帯電話機に取得させて搭載させ、このＪＡＶＡプログラムを携帯電話機上で実行させて株価情報を提供する場合などに利用できる。
【図面の簡単な説明】
第１図は、本発明の一実施形態の株価情報提供システムの全体構成図である。
第２図は、前記実施形態の株価情報提供システムで用いられる携帯電話機の詳細構成図である。
第３図は、前記実施形態の株価情報の提供および取得に関する処理の流れを示すフローチャートの図である。
第４図は、前記実施形態の説明事項表示処理を行う際に携帯電話機の表示部に表示される画面例の一部を示した図である。
第５図は、前記実施形態の説明事項表示処理を行う際に携帯電話機の表示部に表示される画面例の別の一部を示した図である。
第６図は、前記実施形態の説明事項表示処理を行う際に携帯電話機の表示部に表示される画面例のさらに別の一部を示した図である。
第７図は、前記実施形態の銘柄登録処理を行う際に携帯電話機の表示部に表示される画面例を示した図である。
第８図は、前記実施形態のタイマー設定処理を行う際に携帯電話機の表示部に表示される画面例を示した図である。
第９図は、前記実施形態の株価一覧画面、株価詳細画面、各株価チャート画面の表示処理を行う際に携帯電話機の表示部に表示される画面例を示した図である。
第１０図は、前記実施形態の銘柄削除処理を行う際に携帯電話機の表示部に表示される画面例を示した図である。
【図１】
2003017161.tif 000003
【図２】
2003017161.tif 000004
【図３】
2003017161.tif 000005
【図４】
2003017161.tif 000006
【図５】
2003017161.tif 000007
【図６】
2003017161.tif 000008
【図７】
2003017161.tif 000009
【図８】
2003017161.tif 000010
【図９】
2003017161.tif 000011
【図１０】
2003017161.tif 000012
【国際調査報告】
2003017161.tif 000013
2003017161.tif 000014
2003017161.tif 000015
2003017161.tif 000016
2003017161.tif 000017
2003017161.tif 000018
2003017161.tif 000019